(57)【要約】ネットワークとデュアルレシーバＵＥ間の通信方法は、第１周波数で第１ネットワークノードから第１シグナリングを受信する段階と、第２周波数で第２ネットワークノードからＰｔＭ制御チャネルを介して第２シグナリングを受信する段階とを含む。前記方法は、前記ＰｔＭ制御チャネルを介して要求が伝達されるように、前記第２周波数で前記第２ネットワークノードから前記要求を受信する段階と、前記第２ネットワークノードからの前記要求に対する応答を前記第１ネットワークノードに送信する段階とをさらに含む。
2009525673.tif 000002
【特許請求の範囲】
【請求項１】
第１周波数で第１ネットワークノードから第１シグナリングを受信する段階と、
第２周波数で第２ネットワークノードから１対多（ＰｔＭ）制御チャネルを介して第２シグナリングを受信する段階と、
前記第２周波数で前記第２ネットワークノードから要求を受信する段階と、
前記第２ネットワークノードからの前記要求に対する応答を前記第１ネットワークノードに送信する段階とを含み、
前記要求が前記ＰｔＭ制御チャネルを介して伝達されることを特徴とするネットワークとデュアルレシーバユーザ装置（ＵＥ）間の通信方法。
【請求項２】
前記第２周波数で伝送し、かつ前記第１ネットワークノードにより提供されるセルカバレッジの少なくとも一部とオーバーラップするセルカバレッジを提供する、少なくとも１つの異なるネットワークノードのリストを受信する段階をさらに含むことを特徴とする請求項１に記載のネットワークとデュアルレシーバユーザ装置（ＵＥ）間の通信方法。
【請求項３】
前記第１ネットワークノードから少なくとも１つのＩＤを受信する段階をさらに含み、
前記少なくとも１つのＩＤが前記第２ネットワークノードを識別することを特徴とする請求項１に記載のネットワークとデュアルレシーバユーザ装置（ＵＥ）間の通信方法。
【請求項４】
前記第１ネットワークノード又は前記第２ネットワークノードから送信許可を受信する段階をさらに含み、
前記送信許可が前記応答を前記第１ネットワークノードに送信させることを特徴とする請求項１に記載のネットワークとデュアルレシーバユーザ装置（ＵＥ）間の通信方法。
【請求項５】
前記送信許可は、前記第２ネットワークノードから受信され、前記応答を送信できるネットワークノードのリストを含むことを特徴とする請求項４に記載のネットワークとデュアルレシーバユーザ装置（ＵＥ）間の通信方法。
【請求項６】
前記送信許可は、前記第１ネットワークノードから受信され、前記要求が受信されたネットワークノードのリストを含むことを特徴とする請求項４に記載のネットワークとデュアルレシーバユーザ装置（ＵＥ）間の通信方法。
【請求項７】
前記第１ネットワークノードから周波数変換メッセージを受信する段階をさらに含み、
前記メッセージは、前記ユーザ装置（ＵＥ）が、前記第２周波数で伝送する第３ネットワークノードの再選択を試みることができるようにし、
前記送信許可は、前記ＵＥが再選択を試みないように、前記ＵＥに前記メッセージを無視させることを特徴とする請求項４に記載のネットワークとデュアルレシーバユーザ装置（ＵＥ）間の通信方法。
【請求項８】
前記応答は、前記ユーザ装置（ＵＥ）に関連するサービスを識別するサービス識別子、前記第２周波数を識別する周波数識別子、及び前記第２ネットワークノードを識別するセル識別子の少なくとも１つを含むことを特徴とする請求項１に記載のネットワークとデュアルレシーバユーザ装置（ＵＥ）間の通信方法。
【請求項９】
前記応答がＲＲＣ接続要求とセルアップデートのいずれか一方を含むことを特徴とする請求項１に記載のネットワークとデュアルレシーバユーザ装置（ＵＥ）間の通信方法。
【請求項１０】
前記応答がＭＢＭＳ変更要求を含むことを特徴とする請求項１に記載のネットワークとデュアルレシーバユーザ装置（ＵＥ）間の通信方法。
【請求項１１】
前記要求がカウント要求を含むことを特徴とする請求項１に記載のネットワークとデュアルレシーバユーザ装置（ＵＥ）間の通信方法。
【請求項１２】
前記要求が１対１設定要求を含むことを特徴とする請求項１に記載のネットワークとデュアルレシーバユーザ装置（ＵＥ）間の通信方法。
【請求項１３】
前記１対多（ＰｔＭ）制御チャネルがＭＢＭＳ１対多制御チャネルを含むことを特徴とする請求項１に記載のネットワークとデュアルレシーバユーザ装置（ＵＥ）間の通信方法。
【請求項１４】
前記第１シグナリングを受信する段階と前記第２シグナリングを受信する段階とが、実質的に同時に発生することを特徴とする請求項１に記載のネットワークとデュアルレシーバユーザ装置（ＵＥ）間の通信方法。
【請求項１５】
前記第１ネットワークノード及び前記第２ネットワークノードが、１つの基地局で実現されることを特徴とする請求項１に記載のネットワークとデュアルレシーバユーザ装置（ＵＥ）間の通信方法。
【請求項１６】
前記第１ネットワークノード及び前記第２ネットワークノードが、異なる基地局で別々に実現されることを特徴とする請求項１に記載のネットワークとデュアルレシーバユーザ装置（ＵＥ）間の通信方法。
【請求項１７】
第１周波数で第１ネットワークノードから第１シグナリングを通信する段階と、
第２周波数で第２ネットワークノードから１対多（ＰｔＭ）制御チャネルを介して第２シグナリングを通信する段階と、
前記第２周波数で前記第２ネットワークノードから要求を通信する段階と、
前記第２ネットワークノードからの前記要求に対する応答を前記第１ネットワークノードで受信する段階とを含み、
前記要求が前記ＰｔＭ制御チャネルを介して伝達されることを特徴とするネットワークとデュアルレシーバユーザ装置（ＵＥ）間の通信方法。
【請求項１８】
前記第２周波数で伝送し、かつ前記第１ネットワークノードにより提供されるセルカバレッジの少なくとも一部とオーバーラップするセルカバレッジを提供する、少なくとも１つの異なるネットワークノードのリストを通信する段階をさらに含むことを特徴とする請求項１７に記載のネットワークとデュアルレシーバユーザ装置（ＵＥ）間の通信方法。
【請求項１９】
前記第１ネットワークノードから少なくとも１つのＩＤを通信する段階をさらに含み、
前記少なくとも１つのＩＤが前記第２ネットワークノードを識別することを特徴とする請求項１７に記載のネットワークとデュアルレシーバユーザ装置（ＵＥ）間の通信方法。
【請求項２０】
前記第１ネットワークノード又は前記第２ネットワークノードから送信許可を通信する段階をさらに含み、
前記送信許可が前記応答を前記第１ネットワークノードに送信させることを特徴とする請求項１７に記載のネットワークとデュアルレシーバユーザ装置（ＵＥ）間の通信方法。
【請求項２１】
前記送信許可は、前記第２ネットワークノードから通信され、前記応答を送信できるネットワークノードのリストを含むことを特徴とする請求項２０に記載のネットワークとデュアルレシーバユーザ装置（ＵＥ）間の通信方法。
【請求項２２】
前記送信許可は、前記第１ネットワークノードから通信され、前記要求が受信されたネットワークノードのリストを含むことを特徴とする請求項２０に記載のネットワークとデュアルレシーバユーザ装置（ＵＥ）間の通信方法。
【請求項２３】
前記第１ネットワークノードから周波数変換メッセージを通信する段階をさらに含み、
前記メッセージは、前記ユーザ装置（ＵＥ）が、前記第２周波数で伝送する第３ネットワークノードの再選択を試みることができるようにし、
前記送信許可は、前記ＵＥが再選択を試みないように、前記ＵＥに前記メッセージを無視させることを特徴とする請求項２０に記載のネットワークとデュアルレシーバユーザ装置（ＵＥ）間の通信方法。
【請求項２４】
前記応答は、前記ユーザ装置（ＵＥ）に関連するサービスを識別するサービス識別子、前記第２周波数を識別する周波数識別子、及び前記第２ネットワークノードを識別するセル識別子の少なくとも１つを含むことを特徴とする請求項１７に記載のネットワークとデュアルレシーバユーザ装置（ＵＥ）間の通信方法。
【請求項２５】
前記応答がＲＲＣ接続要求とセルアップデートのいずれか一方を含むことを特徴とする請求項１７に記載のネットワークとデュアルレシーバユーザ装置（ＵＥ）間の通信方法。
【請求項２６】
前記応答がＭＢＭＳ変更要求を含むことを特徴とする請求項１７に記載のネットワークとデュアルレシーバユーザ装置（ＵＥ）間の通信方法。
【請求項２７】
前記要求がカウント要求を含むことを特徴とする請求項１７に記載のネットワークとデュアルレシーバユーザ装置（ＵＥ）間の通信方法。
【請求項２８】
前記要求が１対１設定要求を含むことを特徴とする請求項１７に記載のネットワークとデュアルレシーバユーザ装置（ＵＥ）間の通信方法。
【請求項２９】
前記１対多（ＰｔＭ）制御チャネルがＭＢＭＳ１対多制御チャネルを含むことを特徴とする請求項１７に記載のネットワークとデュアルレシーバユーザ装置（ＵＥ）間の通信方法。
【請求項３０】
前記第１シグナリングを通信する段階と前記第２シグナリングを通信する段階とが、実質的に同時に発生することを特徴とする請求項１７に記載のネットワークとデュアルレシーバユーザ装置（ＵＥ）間の通信方法。
【請求項３１】
前記第１ネットワークノード及び前記第２ネットワークノードが、１つの基地局で実現されることを特徴とする請求項１７に記載のネットワークとデュアルレシーバユーザ装置（ＵＥ）間の通信方法。
【請求項３２】
前記第１ネットワークノード及び前記第２ネットワークノードが、異なる基地局で別々に実現されることを特徴とする請求項１７に記載のネットワークとデュアルレシーバユーザ装置（ＵＥ）間の通信方法。
【発明の詳細な説明】
【技術分野】
【０００１】
米国特許法§１１９（ｅ）に従い、本出願は、２００６年２月６日付けで出願された仮出願番号６０／７７１，５２０号、２００６年５月２日付けで出願された６０／７９７，４０２号、及び２００６年５月３日付けで出願された６０／７９７，４５９号の優先権を主張する。これら出願の全内容は参考として本出願に全て援用される。
【０００２】
本発明は無線通信システムに関し、特にネットワークとデュアルレシーバユーザ装置（ＵＥ）間の通信に関する。
【発明の開示】
【課題を解決するための手段】
【０００３】
ＵＭＴＳ（Universal  Mobile  Telecommunications  System）は、欧州標準であるＧＳＭ（Global  System  for  Mobile  communications）から進化した欧州型第３世代ＩＭＴ−２０００移動通信システムである。ＵＭＴＳは、ＧＳＭコアネットワークとＷ−ＣＤＭＡ（Wideband  Code  Division  Multiple  Access）無線接続技術に基づいて向上した移動通信サービスを提供することを目標とする。
【０００４】
１９９８年１２月、ヨーロッパのＥＴＳＩ、日本のＡＲＩＢ／ＴＴＣ、米国のＴ１、及び韓国のＴＴＡは３ＧＰＰ（Third  Generation  Partnership  Project）を構成した。３ＧＰＰはＵＭＴＳ技術の詳細仕様を作成する。ＵＭＴＳの迅速で効果的な技術開発を達成するために、３ＧＰＰ内には、ネットワーク構成要素の独立性とこれらの動作を考慮して、ＵＭＴＳの標準化作業のための５つの技術仕様グループ（Technical  Specification  Groups；ＴＳＧ）が作成された。
【０００５】
各ＴＳＧは、関連した領域内で標準仕様を開発、承認、及び管理する。そのうち、無線アクセスネットワーク（Radio  Access  Network；ＲＡＮ）グループ（ＴＳＧ−ＲＡＮ）は、ＵＭＴＳにおいてＷ−ＣＤＭＡアクセス技術をサポートするための新しい無線アクセスネットワークであるＵＴＲＡＮ（UMTS  Terrestrial  Radio  Access  Network）の機能、要求事項、及びインタフェースの標準を開発する。
【０００６】
図１はＵＥ、ＵＴＲＡＮ、及びコアネットワークを含むＵＭＴＳネットワークの概要を示す図である。ＵＴＲＡＮは、Ｉｕｂインタフェースで通信する複数の無線ネットワーク制御装置（Radio  Network  Controller;  RNC）とＮｏｄｅ  Ｂとから構成される。
【０００７】
各ＲＮＣは複数のＮｏｄｅ  Ｂを制御する。前記各ＲＮＣは、Ｉｕインタフェースを介して前記コアネットワーク（ＣＮ）に接続されるが、特に前記ＣＮのＭＳＣ（Mobile-services  Switching  Center）及びＳＧＳＮ（Serving  GPRS  Support  Node）に接続される。前記ＲＮＣは、Ｉｕｒインタフェースを介して他のＲＮＣに接続することもできる。前記ＲＮＣは、無線リソースの割当及び管理を担当し、前記コアネットワークに対するアクセスポイントの役割を果たす。
【０００８】
前記Ｎｏｄｅ  Ｂは、アップリンク伝送で端末の物理層により送信された情報を受信し、ダウンリンク伝送で端末にデータを送信する。前記Ｎｏｄｅ  Ｂは、端末に対するＵＴＲＡＮのアクセスポイントの役割を果たす。
【０００９】
前記ＳＧＳＮは、Ｇｆインタフェースを介してＥＩＲ（Equipment  Identity  Register）に、ＧＳインタフェースを介してＭＳＣに、ＧＮインタフェースを介してＧＧＳＮ（Gateway  GPRS  Support  Node）に、並びにＧＲインタフェースを介してＨＳＳ（Home  Subscriber  Server）に接続される。前記ＥＩＲはネットワークで利用できるモバイルのリストを維持する。
【００１０】
回線交換サービスのための接続を制御する前記ＭＳＣは、ＮＢインタフェースを介してＭＧＷ（Media  Gateway）に、Ｆインタフェースを介してＥＩＲに、並びにＤインタフェースを介してＨＳＳに接続される。前記ＭＧＷは、Ｃインタフェースを介してＨＳＳに接続され、ＰＳＴＮ（Public  Switched  Telephone  Network）に接続される。前記ＭＧＷは、前記ＰＳＴＮと前記接続されたＲＡＮ間のコーデックの適応を容易にする。
【００１１】
前記ＧＧＳＮは、ＧＣインタフェースを介してＨＳＳに接続され、ＧＩインタフェースを介してインターネットに接続される。前記ＧＧＳＮは、様々な無線アクセスベアラ（Radio  Access  Bearer;  RAB）へのデータフローのルーティング、課金、及び分離の責任を負う。前記ＨＳＳはユーザの加入データを処理する。
【００１２】
ＵＴＲＡＮは、端末とコアネットワーク間の通信のために、無線アクセスベアラ（ＲＡＢ）を構成して維持する。前記コアネットワークは、ＲＡＢにエンドツーエンドサービス品質（Quality  of  Service;  QoS）要求事項を要求し、前記ＲＡＢは、前記コアネットワークが設定したＱｏＳ要求事項をサポートする。従って、ＵＴＲＡＮは前記ＲＡＢを構成して維持することで前記エンドツーエンドＱｏＳ要求事項を満たすことができる。
【００１３】
特定端末に提供されるサービスは、大きく回線交換サービスとパケット交換サービスとに分けられる。例えば、一般的な音声対話サービスは回線交換サービスであり、インターネット接続によるウェブブラウジングサービスはパケット交換サービスである。
【００１４】
前記回線交換サービスをサポートする場合、前記ＲＮＣは、前記コアネットワークのＭＳＣに接続され、前記ＭＳＣは、他のネットワークとの接続を管理するＧＭＳＣ（Gateway  Mobile  Switching  Center）に接続される。前記パケット交換サービスをサポートする場合、前記ＲＮＣは、前記コアネットワークのＳＧＳＮ及びＧＧＳＮに接続される。前記ＳＧＳＮは、前記ＲＮＣとのパケット通信をサポートし、前記ＧＧＳＮは、インターネットなどの他のパケット交換ネットワークとの接続を管理する。
【００１５】
図２は３ＧＰＰ無線アクセスネットワークの標準に準拠した端末とＵＴＲＡＮ間の無線インタフェースプロトコルの構造を示す図である。図２に示すように、無線インタフェースプロトコルは、物理層、データリンク層、及びネットワーク層からなる垂直層（vertical  layer）、並びにユーザデータを伝送するためのユーザプレーン（U-plane）、及び制御情報を伝送するための制御プレーン（C-plane）からなる水平プレーン（horizontal  plane）を有する。
【００１６】
前記ユーザプレーンは、音声やＩＰ（Internet  Protocol）パケットなどのユーザのトラフィック情報を管理する領域であり、前記制御プレーンは、ネットワークのインタフェース、呼の維持及び管理などに関する制御情報を管理する領域である。
【００１７】
図２のプロトコル層は、ＯＳＩ（Open  System  Interconnection）参照モデルの下位３層に基づいて、第１層（Ｌ１）、第２層（Ｌ２）、及び第３層（Ｌ３）に区分できる。前記第１層（Ｌ１）又は物理層は、多様な無線伝送技術により上位層に情報伝送サービス（Information  Transfer  Service）を提供する。前記物理層は、トランスポートチャネルを介して上位層である媒体アクセス制御（Medium  Access  Control;  MAC）層に接続される。
【００１８】
前記ＭＡＣ層と物理層とはトランスポートチャネルでデータを送受信する。前記第２層（Ｌ２）は、ＭＡＣ層、無線リンク制御（Radio  Link  Control;  RLC）層、ブロードキャスト／マルチキャスト制御（Broadcast/Multicast  Control;  BMC）層、及びパケットデータコンバージェンスプロトコル（Packet  Data  Convergence  Protocol;  PDCP）層を含む。
【００１９】
前記ＭＡＣ層は、論理チャネルとトランスポートチャネル間のマッピングを担当し、無線リソースの割当及び再割当のためにＭＡＣパラメータの割当を提供する。前記ＭＡＣ層は、論理チャネルを介して上位層であるＲＬＣ層に接続される。
【００２０】
伝送される情報の種類によって多様な論理チャネルが提供される。一般に、制御プレーンの情報を伝送する場合は制御チャネルが使用され、ユーザプレーンの情報を伝送する場合はトラフィックチャネルが使用される。
【００２１】
論理チャネルは、共有するか否かによって共通チャネル又は専用チャネルになる。論理チャネルは、ＤＴＣＨ（Dedicated  Traffic  Channel）、ＤＣＣＨ（Dedicated  Control  Channel）、ＣＴＣＨ（Common  Traffic  Channel）、ＣＣＣＨ（Common  Control  Channel）、ＢＣＣＨ（Broadcast  Control  Channel）、並びにＰＣＣＨ（Paging  Control  Channel）もしくはＳＨＣＣＨ（Shared  Channel  Control  Channel）を含む。
【００２２】
前記ＢＣＣＨは、システムにアクセスするために端末が利用した情報を含む情報を提供する。前記ＰＣＣＨは、端末にアクセスするためにＵＴＲＡＮが使用する。
【００２３】
ＭＢＭＳ（Multimedia  Broadcast/Multicast  Service）のために、ＭＢＭＳ標準にトラフィックチャネル及び制御チャネルがさらに取り入れられる。ＭＣＣＨ（MBMS  point-to-multipoint  Control  Channel）を使用してＭＢＭＳ制御情報を伝送し、ＭＴＣＨ（MBMS  point-to-multipoint  Traffic  Channel）を使用してＭＢＭＳサービスデータを伝送する。ＭＳＣＨ（MBMS  Scheduling  Channel）を使用してスケジューリング情報を伝送する。図３は多様な論理チャネルのリストを示す図である。
【００２４】
ＭＡＣ層は、トランスポートチャネルを介して物理層に接続され、管理されるトランスポートチャネルのタイプによってＭＡＣ−ｂサブレイヤ、ＭＡＣ−ｄサブレイヤ、ＭＡＣ−ｃ／ｓｈサブレイヤ、ＭＡＣ−ｈｓサブレイヤ、及びＭＡＣ−ｍサブレイヤに分けることができる。前記ＭＡＣ−ｂサブレイヤは、システム情報のブロードキャストを担当するトランスポートチャネルであるＢＣＨ（Broadcast  Channel）を管理する。前記ＭＡＣ−ｃ／ｓｈサブレイヤは、複数の端末が共有するＦＡＣＨ（Forward  Access  Channel）もしくはＤＳＣＨ（Downlink  Shared  Channel）などの共通トランスポートチャネル、又はアップリンクではＲＡＣＨ（Random  Access  Channel）を管理する。前記ＭＡＣ−ｍサブレイヤは、ＭＢＭＳデータを処理する。
【００２５】
図４はＵＥの観点から論理チャネルとトランスポートチャネル間の可能なマッピングを示す図であり、図５はＵＴＲＡＮの観点から論理チャネルとトランスポートチャネル間の可能なマッピングを示す図である。
【００２６】
前記ＭＡＣ−ｄサブレイヤは、特定端末のための専用トランスポートチャネルであるＤＣＨ（Dedicated  Channel）を管理する。前記ＭＡＣ−ｄサブレイヤは、該当端末を管理するＳＲＮＣ（Serving  Radio  Network  Controller）に位置する。また、１つのＭＡＣ−ｄサブレイヤは各端末内に存在する。
【００２７】
ＲＬＣ動作モードによって、ＲＬＣ層は、信頼性のあるデータ伝送をサポートし、上位層から伝送された複数のＲＬＣサービスデータユニット（ＲＬＣ  ＳＤＵ）に対する分割及び接続機能を実行する。ＲＬＣ層は、上位層から前記ＲＬＣ  ＳＤＵを受信すると、処理容量を考慮して適当な方式で各ＲＬＣ  ＳＤＵのサイズを調節して、ヘッダ情報が付加されたデータユニットを生成する。前記データユニットをプロトコルデータユニット（ＰＤＵ）といい、前記ＰＤＵは論理チャネルを介してＭＡＣ層に伝送される。前記ＲＬＣ層は、前記ＲＬＣ  ＳＤＵ及び／又はＲＬＣ  ＰＤＵを保存するためのＲＬＣバッファを含む。
【００２８】
ＢＭＣ層は、コアネットワークから受信したセルブロードキャスト（Cell  Broadcast;  CB）メッセージをスケジューリングし、前記ＣＢメッセージを特定セル又はそのセルに位置する端末にブロードキャストする。
【００２９】
ＲＬＣ層の上位層であるＰＤＣＰ層は、ＩＰｖ４やＩＰｖ６などのネットワークプロトコルデータを相対的に帯域幅の小さい無線インタフェースに効果的に伝送するのに使用される。これを達成するために、ＰＤＣＰ層は、有線ネットワークで使用された不要な制御情報を減らすが、このような機能をヘッダ圧縮という。
【００３０】
無線リソース制御（Radio  Resource  Control;  RRC）層は、前記第３層（Ｌ３）の最下位に位置する層であり、制御プレーンでのみ定義される。前記ＲＲＣ層は、無線ベアラ（ＲＢ）の設定、再設定、及び解除又は取消に関するトランスポートチャネル及び物理チャネルを制御する。さらに、前記ＲＲＣは、前記ＲＡＮ内でのユーザ移動性、及び位置サービスなどのさらなるサービスを担当する。
【００３１】
前記ＲＢとは、端末とＵＴＲＡＮ間のデータ伝送のために前記第２層（Ｌ２）が提供するサービスを意味する。一般に、ＲＢの設定とは、特定データサービスを提供するために必要なプロトコル層及びチャネルの特性を規定し、詳細なパラメータ及び動作方法をそれぞれ設定する過程を意味する。
【００３２】
所定のＵＥのための無線ベアラとトランスポートチャネル間のマッピングの様々な可能性が常に成立するわけではない。ＵＥ及びＵＴＲＡＮは、ＵＥの状態やＵＥ及びＵＴＲＡＮが現在行っている手順によって可能なマッピングを推論する。様々な状態やモードについては、以下に本発明に係る範囲内で説明する。
【００３３】
様々なトランスポートチャネルは様々な物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの設定は、ＲＮＣとＵＥ間のＲＲＣシグナリング交換により行われる。
【００３４】
ＲＲＣモードは、端末のＲＲＣとＵＴＲＡＮのＲＲＣ間に論理接続が存在するか否かを示す。接続が存在する場合、前記端末はＲＲＣ接続モードであり、接続が存在しない場合、前記端末はアイドルモードである。
【００３５】
ＲＲＣ接続モードの端末に対してＲＲＣ接続が存在するため、ＵＴＲＡＮは、セルユニット内に特定端末が存在するか否かを判断できる。例えば、ＵＴＲＡＮは、ＲＲＣ接続モードの端末がどのセルもしくはセルのセットに存在するか、並びにＵＥがどの物理チャネルをリッスンしているかを判断できるので、端末を効果的に制御することができる。
【００３６】
一方、ＵＴＲＡＮは、アイドルモードの端末が存在するか否かを判断することができない。アイドルモードの端末が存在するか否かは、例えばロケーションやルーティングエリアのようにセルより大きい地域内でコアネットワークによってのみ判断される。従って、アイドルモードの端末が存在するか否かは、広い地域内で判断され、音声やデータのような移動通信サービスを受信するためには、アイドルモードの端末はＲＲＣ接続モードに移行又は変更しなければならない。モード及び状態間の可能な変化についての説明は図６に示す通りである。
【００３７】
ＲＲＣ接続モードのＵＥは、ＣＥＬＬ＿ＦＡＣＨ状態、ＣＥＬＬ＿ＰＣＨ状態、ＣＥＬＬ＿ＤＣＨ状態、又はＵＲＡ＿ＰＣＨ状態のように様々な状態にある。前記状態によって、ＵＥは異なる動作を行い、異なるチャネルをリッスンする。
【００３８】
例えば、ＣＥＬＬ＿ＤＣＨ状態のＵＥは、様々なチャネルのうちＤＣＨタイプのトランスポートチャネルをリッスンするであろう。ＤＣＨタイプのトランスポートチャネルはＤＴＣＨ及びＤＣＣＨトランスポートチャネルを含み、これは所定のＤＰＣＨ、ＤＰＤＳＣＨ、又は他の物理チャネルにマッピングできるチャネルである。
【００３９】
ＣＥＬＬ＿ＦＡＣＨ状態のＵＥは、特定Ｓ−ＣＣＰＣＨにマッピングされるいくつかのＦＡＣＨトランスポートチャネルをリッスンするであろう。ＰＣＨ状態のＵＥは、特定Ｓ−ＣＣＰＣＨ物理チャネルにマッピングされるＰＩＣＨチャネル及びＰＣＨチャネルをリッスンするであろう。
【００４０】
主なシステム情報は、Ｐ−ＣＣＰＣＨ（Primary  Common  Control  Physical  Channel）にマッピングされるＢＣＣＨ論理チャネルで伝送される。特定システム情報ブロックはＦＡＣＨチャネルで伝送される。前記システム情報がＦＡＣＨチャネルで伝送される場合、ＵＥはＰ−ＣＣＰＣＨで受信したＢＣＣＨ又は専用チャネルでＦＡＣＨの構成を受信する。前記システム情報がＢＣＣＨで（すなわち、Ｐ−ＣＣＰＣＨを介して）伝送される場合、ＵＥとＮｏｄｅ  Ｂ間で同一のタイミング参照（timing  reference）を共有するために使用されるＳＦＮ（System  Frame  Number）が各フレームで又は２フレームのセットで伝送される。前記Ｐ−ＣＣＰＣＨは、セルのプライマリスクランブルコードであるＰ−ＣＰＩＣＨ（Primary  Common  Pilot  Channel）と同一のスクランブルコードを使用して伝送される。前記Ｐ−ＣＣＰＣＨにより使用される拡散コードは、固定拡散率（Spreading  Factor;  SF）２５６であり、その番号は１である。前記ＵＥは、ＵＥが読み込んだ隣接セルのシステム情報に関して前記ネットワークから伝送された情報により、ＵＥがＤＣＣＨチャネルで受信したメッセージにより、又は前記固定ＳＦ２５６と前記拡散コード番号０を利用して伝送され、固定されたパターンを伝送するＰ−ＣＰＩＣＨを検索することにより、前記プライマリスクランブルコードが分かる。
【００４１】
前記システム情報は、隣接セル、ＲＡＣＨ及びＦＡＣＨトランスポートチャネルの構成、並びにＭＢＭＳサービスのための専用チャネルであるＭＩＣＨ及びＭＣＣＨの構成に関する情報を含む。
【００４２】
前記ＵＥが（アイドルモードで）位置するセルを変更する度に、又は前記ＵＥがセル（ＣＥＬＬ＿ＦＡＣＨ、ＣＥＬＬ＿ＰＣＨ、又はＵＲＡ＿ＰＣＨで）状態を選択した場合、前記ＵＥは前記ＵＥが有効なシステム情報を有しているか否かを確認する。前記システム情報は、システム情報ブロック（System  Information  Block;  SIB）、マスタ情報ブロック（Master  Information  Block;  MIB）、及びスケジューリングブロックから構成される。前記ＭＩＢは非常に頻繁に伝送され、前記スケジューリングブロック及び様々なＳＩＢのタイミング情報を提供する。バリュータグ（value  tag）にリンクされているＳＩＢのために、前記ＭＩＢは、一部のＳＩＢの最新バージョンに関する情報をも含む。バリュータグにリンクされていないＳＩＢは、期限タイマーにリンクされる。前記期限タイマーにリンクされているＳＩＢは無効になり、前記ＳＩＢの最新読み込み時間が前記期限タイマーの値より大きい場合、再び読み込む必要がある。前記バリュータグにリンクされているＳＩＢは、前記ＭＩＢからブロードキャストされたバリュータグと同一のバリュータグを有する場合にのみ有効である。各ブロックは、前記ＳＩＢがいずれのセルで有効であるかを示す有効性のエリア範囲（Ｃｅｌｌ、ＰＬＭＮ、等価（equivalent）ＰＬＭＮ）を有する。エリア範囲「Ｃｅｌｌ」を有するＳＩＢは、ＳＩＢ自身が読み込まれたセルに対してのみ有効である。エリア範囲「ＰＬＭＮ」を有するＳＩＢは、全てのＰＬＭＮで有効であり、エリア範囲「等価ＰＬＭＮ」を有するＳＩＢは、全てのＰＬＭＮと等価ＰＬＭＮで有効である。
【００４３】
一般に、ＵＥは、アイドルモードである場合や、ＵＥが選択したセル又はＵＥが位置するセルがＣＥＬＬ＿ＦＡＣＨ状態、ＣＥＬＬ＿ＰＣＨ状態、又はＵＲＡ＿ＰＣＨ状態である場合、前記システム情報を読み込む。前記システム情報において、前記ＵＥは、同一周波数、異なる周波数、及び様々な無線アクセス技術（Radio  Access  Technologies;  RAT）で隣接セルに関する情報を受信する。これにより、前記ＵＥはいずれのセルがセル再選択のための候補セルであるかが分かる。
【００４４】
ＭＢＭＳは仕様のＲｅｌｅａｓｅ６（Ｒｅｌ−６）でＵＭＴＳ標準に取り入れられた。これは、１対多伝送、１対多及び１対１ベアラ間の選択的な組み合わせ及び伝送モードの選択を含むＭＢＭＳベアラサービスの伝送の最適化のための技術を記述している。これは、同一のコンテンツが多数のユーザに伝送される場合に無線リソースを節約するために用いられ、テレビなどのサービスを可能にする。ＭＢＭＳデータは、制御プレーン情報とユーザプレーン情報の２つのカテゴリーに分けられる。前記制御プレーン情報は、物理層構成、トランスポートチャネル構成、無線ベアラ構成、進行中のサービス、カウント情報、スケジューリング情報などに関する情報を含む。前記ＵＥがこのような情報を受信できるように、ＭＢＭＳのためのＭＢＭＳベアラ特定制御情報（MBMS  bearer  specific  control  information）が前記ＵＥに伝送される。
【００４５】
ＭＢＭＳベアラのユーザプレーンデータは、ただ１つのＵＥに伝送される１対１サービスのための専用トランスポートチャネルにマッピングすることもでき、同時に多数のユーザに送信（及び受信）される１対多サービスのための共有トランスポートチャネルにマッピングすることもできる。
【００４６】
１対１伝送は、ＭＢＭＳ特定制御／ユーザプレーン情報だけでなく、ＲＲＣ接続モードでネットワークとＵＥ間で専用制御／ユーザプレーン情報を伝送するのに用いられ、ＭＢＭＳのマルチキャスト又はブロードキャストモードのためにも用いられる。ＤＴＣＨはＣＥＬＬ＿ＦＡＣＨ及びＣＥＬＬ＿ＤＣＨでＵＥのために使用される。これはトランスポートチャネルに対する既存のマッピングを可能にする。
【００４７】
セルリソースを最適化した方式で使用するために、「カウント」機能がＭＢＭＳアプリケーションに導入された。前記カウント手順は、所定のサービスの受信に関心のあるＵＥがいくつかを判断するために用いられる。これは図７に示すカウント手順を用いて行われる。
【００４８】
例えば、所定のサービスに関心のあるＵＥは、ＭＢＭＳサービスの利用可能性に関する情報を受信する。前記ネットワークは、ＭＣＣＨチャネルで「アクセス情報」を伝送するときと同じ方式で、前記ＵＥが前記ネットワークに前記サービスに対する関心を示すべきことを前記ＵＥに通知することができる。前記アクセス情報メッセージに含まれる確率係数（probability  factor）は、関心のあるＵＥのみ所定の確率で応答すると判断する。前記ＵＥが前記ネットワークに所定のサービスに関心があることを通知するために、前記ＵＥは、ＲＲＣ接続設定メッセージ、又は前記ＵＥが前記カウント情報を受信したセルでのセルアップデートメッセージを前記ネットワークに送信する。このようなメッセージは、前記ＵＥが関心のあるサービスを示す識別子を含むこともある。
【００４９】
１対多伝送は、ＲＲＣ接続モード又はアイドルモードで、ネットワークと複数のＵＥ間でＭＢＭＳ特定制御／ユーザプレーン情報を伝送するのに用いられる。前記１対多伝送は、ＭＢＭＳのブロードキャスト又はマルチキャストモードのために用いられる。
【００５０】
ネットワークが複数の周波数で動作する場合、ＵＥが１つの周波数に位置し、ＭＢＭＳサービスが異なる周波数で伝送されると、前記ＵＥはＭＢＭＳサービスが異なる周波数で伝送されることを認識できないこともある。従って、周波数コンバージェンス手順は、前記ＵＥが所定のサービスを周波数Ｂで利用できることを示す情報を周波数Ａで受信できるようにする。
【００５１】
本発明の特性及び利点は後述する発明の詳細な説明に記述されるが、一部はその詳細な説明から明らかになるか、又は本発明の実施により理解されるであろう。本発明の目的及び他の利点は、特に詳細な説明及び請求の範囲、並びに添付図面に開示された構成により実現及び達成される。
【００５２】
一実施形態によれば、ネットワークとデュアルレシーバＵＥ間の通信方法は、第１周波数で第１ネットワークノードから第１シグナリングを受信する段階と、第２周波数で第２ネットワークノードからＰｔＭ制御チャネルを介して第２シグナリングを受信する段階とを含む。前記方法は、前記ＰｔＭ制御チャネルを介して要求が伝達されるように、前記第２周波数で前記第２ネットワークノードから前記要求を受信する段階と、前記第２ネットワークノードからの前記要求に対する応答を前記第１ネットワークノードに送信する段階とをさらに含む。
【００５３】
一態様において、前記方法は、前記第２周波数で伝送し、かつ前記第１ネットワークノードにより提供されるセルカバレッジの少なくとも一部とオーバーラップするセルカバレッジを提供する、少なくとも１つの異なるネットワークノードのリストを受信する段階をさらに含む。
【００５４】
他の態様において、前記方法は、少なくとも１つのＩＤが前記第２ネットワークノードを識別できるように、前記第１ネットワークノードから前記少なくとも１つのＩＤを受信する段階をさらに含む。
【００５５】
さらに他の態様において、前記方法は、送信許可（transmission  permission）が前記応答を前記第１ネットワークノードに送信させるように、前記第１ネットワークノード又は前記第２ネットワークノードから前記送信許可を受信する段階をさらに含む。
【００５６】
さらに他の態様において、前記送信許可は、前記第２ネットワークノードから受信され、前記応答を送信できるネットワークノードのリストを含む。
【００５７】
一特徴において、前記送信許可は、前記第１ネットワークノードから受信され、前記要求が受信されたネットワークノードのリストを含む。
【００５８】
他の特徴において、前記方法は、周波数変換メッセージにより、前記第２周波数で伝送する第３ネットワークノードの再選択をＵＥが試みることができるように、前記第１ネットワークノードから前記周波数変換メッセージを受信する段階をさらに含む。この特徴において、前記送信許可は、前記ＵＥが再選択を試みないように、前記ＵＥに前記メッセージを無視させる。
【００５９】
さらに他の特徴において、前記応答は、前記ＵＥに関連するサービスを識別するサービス識別子、前記第２周波数を識別する周波数識別子、及び前記第２ネットワークノードを識別するセル識別子の少なくとも１つを含む。
【００６０】
さらに他の特徴において、前記応答は、ＲＲＣ接続要求とセルアップデートのいずれか一方、又はＭＢＭＳ変更要求を含む。
【００６１】
一態様において、前記要求はカウント要求又は１対１設定要求である。
【００６２】
他の態様において、前記ＰｔＭ制御チャネルはＭＢＭＳ１対多制御チャネルである。
【００６３】
さらに他の態様によれば、前記第１シグナリングを受信する段階と前記第２シグナリングを受信する段階とは実質的に同時に発生する。
【００６４】
さらに他の態様によれば、前記第１ネットワークノード及び前記第２ネットワークノードは、１つの基地局で実現されるか、又は異なる基地局で別々に実現される。
【００６５】
代替実施形態によれば、ネットワークとデュアルレシーバＵＥ間の通信方法は、第１周波数で第１ネットワークノードから第１シグナリングを通信する段階と、第２周波数で第２ネットワークノードからＰｔＭ制御チャネルを介して第２シグナリングを通信する段階とを含む。前記方法は、前記ＰｔＭ制御チャネルを介して要求が伝達されるように、前記第２周波数で前記第２ネットワークノードから前記要求を通信する段階と、前記第２ネットワークノードからの前記要求に対する応答を前記第１ネットワークノードで受信する段階とをさらに含む。
【００６６】
他の代替実施形態によれば、ネットワークとＵＥ間の通信方法は、第１ネットワークノードから通信信号を受信する段階と、前記第１ネットワークノードにアップリンク能力が不足していることを確認する段階とを含む。前記方法は、前記第１ネットワークノードがＭＢＭＳサービスを提供することを確認する段階と、アップリンク能力が不足していることを確認したにもかかわらず、前記第１ネットワークノードから前記ＭＢＭＳサービスを受信する段階とをさらに含む。
【００６７】
さらに他の代替実施形態によれば、ネットワークとＵＥ間の通信方法は、第１ネットワークノードからＭＢＭＳサービスを提供する段階と、前記第１ネットワークノードにアップリンク能力が不足していることを示す段階とを含む。前記方法は、前記第１ネットワークノードにアップリンク能力が不足していることを示しているにもかかわらず、前記ＵＥが前記ＭＢＭＳサービスを受信するように許可されることを示す段階をさらに含む。
【００６８】
上記及びその他の実施形態は添付図面を参照した本実施形態の後述する詳細な説明から当業者に明らかになり、本発明は開示されたいずれの特定実施形態にも限定されない。
【００６９】
本発明の理解を助けるために含まれ、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【００７０】
図１は、従来のＵＭＴＳネットワークを示す図である。
【００７１】
図２は、従来のＵＥとＵＴＲＡＮ間の無線インタフェースプロトコルを示す図である。
【００７２】
図３は、論理チャネル構造を示す図である。
【００７３】
図４は、ＵＥの観点から論理チャネルとトランスポートチャネル間の可能なマッピングを示す図である。
【００７４】
図５は、ＵＴＲＡＮの観点から論理チャネルとトランスポートチャネル間の可能なマッピングを示す図である。
【００７５】
図６は、ＵＥ状態の可能な変化を示す図である。
【００７６】
図７は、従来のカウント手順を示す図である。
【００７７】
図８は、Ｒｅｌ−７デュアルレシーバＵＥを有する、Ｒｅｌ−６におけるＦＤＤ  ＭＢＭＳマルチキャリアネットワークを示す図である。
【００７８】
図９は、本発明の一実施形態によるデュアルレシーバＵＥの動作を示す図である。
【００７９】
図１０は、Ｒｅｌ−７デュアルレシーバＵＥのための最適化を伴う、Ｒｅｌ−６におけるＭＢＭＳマルチキャリアネットワークを示す図である。
【００８０】
図１１は、ＵＥがＭＣＣＨ上で動作できるセルを示す図である。
【００８１】
図１２は、ＵＥがＭＣＣＨ／ＭＴＣＨの受信を試みるセルを示す図である。
【００８２】
図１３は、デュアルレシーバＵＥ（ＦＤＤ／ＴＤＤ）のための別個の独立ＭＢＭＳダウンリンクＯＮＬＹ周波数を有するＲｅｌ−６ネットワーク（シングルキャリア又はマルチキャリア）を示す図である。
【００８３】
図１４は、本発明の一実施形態によるネットワークとデュアルレシーバＵＥ間の通信方法を示すフローチャートである。
【００８４】
図１５は、本発明の代替実施形態によるネットワークとデュアルレシーバＵＥ間の通信方法を示すフローチャートである。
【００８５】
図１６は、本発明の一実施形態による移動通信端末を示す図である。
【発明を実施するための最良の形態】
【００８６】
以下、本発明の好ましい実施形態について添付図面を参照して詳細に説明する。同一の参照番号が図面全体で同一又は類似の部分を参照するように用いられる。
【００８７】
本発明の多様な実施形態は、２つの異なる周波数でＭＢＭＳサービスと専用サービスを同時に受信する方法を含む。特定実施形態は、カウント、ＰｔＰ設定、及び周波数コンバージェンスなどの内容を含む。
【００８８】
周波数分割複信（Frequency  Division  Duplex;  FDD）のケースに関して、ＭＢＭＳ専用であるＵＥに第２レシーバを追加することは、様々な利点を有し、ネットワークに自由を提供する。このようなデュアルレシーバＵＥはいくつかの好ましいオプションを提供する。例えば、前記第２レシーバは、衝突の潜在的な数（potential  number）を減らすか、又はＭＢＭＳ専用で前記第２レシーバにより受信できる周波数を追加するのに利用することができる。
【００８９】
前記ネットワークは、デュアルレシーバを有しないＵＥとの利用のために、バックワード能力（backward  capability）を有することが好ましい。バックワード能力を確保するために、前記ネットワークはこのような懸案事項を解決できるように特定機能を備えることができる。例えば、前記ネットワークは、デュアルレシーバＵＥに対する特定ＵＥ動作が許可されるか否かを、専用又は共用制御シグナリングにより示すことができる。１つの方法として、前記ＵＥがＭＢＭＳの受信のために前記第２レシーバ（ＦＤＤ又はＴＤＤ）を利用しないように、ＭＢＭＳデフォルト動作を設定する方法がある。
【００９０】
ノン−Ｒｅｌ．７  ＵＥ（例えば、デュアルレシーバを有しないＵＥ）が前記専用ＭＢＭＳ周波数に位置することを防止するための１つの方法は、そのＵＥに対して「周波数を隠す」というものである。このような方法を用いることによって、前記専用ＭＢＭＳ周波数に関連するセルは、全てのＵＥに利用可能な周波数の隣接セルリストに含まれない。特に、デュアルレシーバＵＥのみ前記専用周波数をリッスンできるように、ＢＣＣＨ／ＭＣＣＨで、例えば特定拡張子を利用して、ＭＢＭＳに関連するさらなるセル又は周波数を代案として提供することができる。
【００９１】
他の懸案事項は、単一のレシーバＵＥが周期的な周波数スキャン中にＭＢＭＳ周波数を検出することである。このような懸案事項を解決するための１つの方法は、次のＳＩＢ（１、３、５  ５ｂｉｓ、又は７（ＴＤＤの場合はＳＩＢ１３））の１つ以上を前記周波数にブロードキャストしないというものである。
【００９２】
このようなアプローチは、ＭＢＭＳサービスブロードキャストに関連するセルに関係なく、ＵＥがＵＥ自身が位置する周波数／セルでカウントに対して応答できるようにする。さらに、前記ＲＮＣが例えば適切なサービス識別子を利用してデュアルレシーバＵＥのためのカウント応答／ＰｔＰ設定を関連付けることができるように、特定処理を実現できる。
【００９３】
ＭＢＭＳサービスを最適化するための他の方法は、ＭＢＭＳの伝送のためのＴＤＤスペクトル、及び専用サービスのためのＦＤＤスペクトルを用いるというものである。このシナリオにおいては、ＴＤＤの場合、アップリンク能力を含まないことが有益なことがある。従って、ＵＥは受信能力のみを必要とし、送信能力は必要としない。
【００９４】
現在のソリューションは、ＦＤＤスペクトルからＴＤＤスペクトルに伝送されたＭＢＭＳサービス、及びその反対に伝送されたＭＢＭＳサービスを提供しないというものである。このようなタイプのインタラクションは、現在Ｒｅｌ−６ネットワークでは存在せず、これは潜在的にＴＤＤ  ｏｎｌｙ  ＵＥに関する相互運用性の問題を起こす。このような問題は、隠しＦＤＤ周波数の場合と同様に、アップリンク動作をサポートしないＴＤＤセルでＳＩＢ１３を伝送しないことで解決することができる。このシナリオにおいて、ＭＩＣＨは、１つの周波数（例えば、ＵＥが正規サービスのために位置するＦＤＤ周波数）でのみブロードキャストされ、セッション開始時にＵＥにＴＤＤレシーバを開始させることが好ましい。ＵＥがＴＤＤ周波数の受信を開始すべきことを示すサービスを利用するか、又は所定のサービスが関連ＴＤＤ周波数／セルでのみ利用可能であることをシグナリングするのに使用できるＭＣＣＨメッセージに特定拡張子を利用することも可能であろう。
【００９５】
一般的に、デュアルレシーバＵＥは、１つの周波数（周波数Ａ）上で専用サービス及びＭＢＭＳ  ＰｔＰ／ＰｔＭサービスだけでなく、別個の周波数（周波数Ｂ）上でＰｔＭベアラで送信されたＭＢＭＳサービスを同時に受信することができる。これを提供する例は次の通りである。
【００９６】
周波数Ａは、ＦＤＤ又はＴＤＤ（専用サービス及びＭＢＭＳ）に特徴づけられ、ＵＥがその専用サービスの受信のために位置する周波数である。このような周波数は、ＭＢＭＳとは独立したチャネル、周波数ＢでＭＢＭＳサービスとは独立したＭＩＣＨ又はＭＣＣＨ、及びＭＴＣＨ（デュアルレシーバを利用したＭＢＭＳサービスの受信によって決まるであろう）を含むことができる。
【００９７】
周波数Ｂは、ＦＤＤ又はＴＤＤ（さらなるＭＢＭＳ能力）に特徴づけられる。このような周波数は、ＢＣＣＨ、周波数ＡでＭＢＭＳサービス又は専用サービスの受信とは独立したＭＩＣＨ又はＭＣＣＨ、及びＭＴＣＨ（デュアルレシーバを利用した周波数ＡでのＭＢＭＳサービスの受信によって決まるであろう）を含むことができる。
【００９８】
本発明の実施形態によれば、デュアルレシーバＵＥは様々なシナリオで有用である。例えば、ＭＢＭＳマルチキャリアＲｅｌ−６ネットワークにおいて、Ｒｅｌ−６周波数コンバージェンス及びカウントは、１つの周波数でのみ伝送に利用することができ、デュアルレシーバＵＥのためのＲｅｌ−７規則は、ネットワークインパクトなしにＵＥが専用及びＭＢＭＳサービスを制限なく受信できるようにするのに利用することができる。
【００９９】
他の実施形態において、Ｒｅｌ−７デュアルレシーバＵＥのための最適化を含むＭＢＭＳマルチキャリアＲｅｌ−６ネットワークにおいて、Ｒｅｌ−６周波数コンバージェンス及びカウントは、１つの周波数でのみ伝送に利用することができ、Ｒｅｌ−７規則は、ネットワークインパクトなしにデュアルレシーバＵＥが専用及びＭＢＭＳサービスを制限なく受信できるように実現することができ、デュアルレシーバＵＥのためのＲｅｌ−７メカニズムは、専用及びＭＢＭＳサービスを制限なく受信するためのリソースの最適化を許可するのに利用することができる。
【０１００】
さらに他の実施形態において、Ｒｅｌ−７デュアルレシーバＵＥ（ＦＤＤ／ＴＤＤ）のために別個の独立ＭＢＭＳダウンリンクＯＮＬＹ周波数を有するＲｅｌ−６ネットワーク（シングルキャリア又はマルチキャリア）において、前記Ｒｅｌ−６ネットワークでのページングのためのメカニズムは、ＭＢＭＳサービスの受信のためのデュアルレシーバをアクティブにするのに利用することができる。
【０１０１】
２つの周波数層を含むＲｅｌ−６ＭＢＭＳネットワークで一般的なデュアルレシーバＵＥの動作を定義することは有用である。その例を図８に示す。このシナリオにおいて、オペレータは、例えば１つ以上の５ＭＨｚの周波数を有するマルチキャリアネットワークを配置する。以下、カウント、ＰｔＰ設定、及び周波数コンバージェンスについて説明する。
【０１０２】
カウントに関して、現在のソリューションは、周波数Ｂに位置し、別個の周波数ＡでＭＴＣＨとＭＣＣＨを受信するＵＥが、カウントが開始される場合又はＲＮＣがサービスがＰｔＰベアラ上で伝送されることを示す場合、どの動作をするかを提供しない。このような問題に対する多数のソリューションが可能であり、本発明はこれらを考慮する。
【０１０３】
例えば、ＵＥは位置する周波数でＲＲＣ要求／ＵＲＡアップデート／セルアップデートで応答することができる。このような動作は、前記ネットワークがＵＥ応答を様々なセル／周波数で伝送されたシグナリングと相互に関連付けるように構成されていると仮定する。従って、前記ネットワークがこのような機能を許可するか否かを制御することが有用である。
【０１０４】
他の例としては、前記カウント情報を受信した周波数でＲＲＣ要求／ＵＲＡアップデート／セルアップデートで応答するＵＥ、又はサービスがＰｔＰベアラ上で伝送されることを示すものが挙げられる。このシナリオは、前記ＵＥがセル再選択を行うことを要求する。従って、前記ＵＥがいつセル再選択を行うように許可されるかを判断することが有用である。
【０１０５】
このような特徴を実現するための１つの方法は、周波数コンバージェンスのための特定オフセットを再使用するというものである（すなわち、周波数コンバージェンスのための条件が満たされる場合、前記ＵＥは、追加レシーバを利用して受信する周波数でＲＲＣ要求／ＵＲＡアップデート／セルアップデートを開始する）。他の可能性としては、前記セル再選択を許可するために、ＭＣＣＨに特定パラメータを追加するか、又は専用シグナリングにより特定パラメータを追加するというものがある。
【０１０６】
さらに他の例は、ＵＥがＵＥの位置しない周波数でカウント／ＰｔＰ設定に応答していないが、継続してＭＴＣＨを受信している場合に関する。このような動作は、ＵＥがデュアルレシーバ能力を有しない状況と類似している。このようなシナリオは、一般的に問題を起こさないので、前記ネットワークが他の動作のための特定指示をシグナリングしないと、デュアルレシーバＵＥに対するデフォルト動作と見なされる。
【０１０７】
ＰｔＰ設定に関して、現在のソリューションは、ＰｔＰベアラ設定要求（PtP  bearer  establishment  request）に応答するためにＲＲＣ接続設定／セルアップデートメッセージを開始するＵＥを含む。このシナリオにおいては、関連サービスの指示がないため、Ｒｅｌ−６ネットワークは通常ＰｔＰベアラ設定を開始しないＭＢＭＳ  ＰｔＰベアラに対する要求を期待しない。従って、このような状況でデュアルレシーバＵＥは、ＰｔＰベアラ設定がＭＣＣＨで示された前記該当アップリンク周波数上でのＰｔＰベアラ設定指示にのみ応答する。この問題に関して、前記ＰｔＰベアラ設定に対する応答としてのＲＲＣ接続要求／セルアップデートは、ＭＣＣＨがダウンリンクで伝送される前記該当アップリンク周波数でのみ行われるように構成することができる。すなわち、前記ＵＥは前記ＰｔＰ設定指示が伝送されたＭＣＣＨに該当するアップリンク周波数上に位置する場合にのみ応答するように構成することができる。
【０１０８】
周波数コンバージェンスに関して、現在のソリューションは、デュアルレシーバＵＥが周波数コンバージェンスを行うか否かに適切に対処していない。特に、このようなソリューションは、ＵＥがＭＢＭＳのための別個のレシーバをサポートする可能性を考慮せず、ＵＥはＵＥが位置する周波数／セルのＭＴＣＨ／ＭＣＣＨ／ＭＳＣＨをリッスンすることを示すだけである。
【０１０９】
デュアルレシーバＵＥは、デュアルレシーバＵＥのデュアルレシーバにより選好周波数（preferred  frequency）を受信できる場合、デュアルレシーバＵＥが選択した周波数に留まるべきである。これは、デュアルレシーバＵＥが加入したサービスを受信できるのであれば周波数コンバージェンスを適用しない前記デュアルレシーバにより達成することができる。代案として、前記ネットワークは、ＵＥがＵＥのさらなるレシーバ能力を使用するか否か、又は周波数コンバージェンスを適用するか否かを制御する。
【０１１０】
周波数コンバージェンスは、ＭＢＭＳサービスがブロードキャストされない周波数に位置するＵＥにサービスがブロードキャストされる周波数を選択させるために、一般的に行われる。本発明の実施形態によるデュアルレシーバＵＥは、サービスがＰｔＭベアラ上で伝送される場合、ＭＢＭＳサービスの周波数を選択する必要がない。しかしながら、前記ネットワークは、再カウントを行うことができるか、又はいつでもＰｔＰベアラにスイッチングできることを理解すべきである。この場合、前記ＵＥは前記指示を受信した周波数と同じ周波数で応答することができる。従って、前記ＵＥは、カウント又はＰｔＰ設定が行われる必要がある選好周波数のみを再選択するように構成することができる。また、前記デュアルレシーバＵＥは、前記ＵＥが優先化（prioritization）を含むデュアルレシーバ能力を有しないかのように、前記Ｒｅｌ−６要求事項に従うことができる。
【０１１１】
他の代案は、ＵＥが優先サービスを受信できない場合でなければ、周波数コンバージェンスに従わないというものである。この場合、前記ＵＥは、カウントもしくはＰｔＰ設定に対する応答として周波数コンバージェンスを行うこともでき、カウントもしくはＭＢＭＳ  ＰｔＰ設定に応答すべき場合に周波数コンバージェンスを行わないこともできる。カウント及びＭＢＭＳ  ＰｔＰベアラ設定の場合に関する様々な動作が可能である。
【０１１２】
Ｒｅｌ−６仕様によれば、前記ＵＥは、ＵＥの選好周波数が専用サービスのために現在利用されている周波数とは異なる場合、前記ネットワークに通知する。しかし、デュアルレシーバＵＥの場合、優先サービスが異なる周波数上でＰｔＭベアラで伝送されても、前記デュアルレシーバＵＥに重要な問題になるとはみなされず、周波数を変更しようとすることを前記ネットワークに通知することは欠点となり得る。従って、前記ＵＥは、所望の全てのサービスを受信することができ、前記優先サービスが異なる周波数上で伝送される状況では、ＭＢＭＳ変更要求メッセージ（MBMS  modification  request  message）を利用してはならない。従って、前記デュアルレシーバＵＥは、デュアルレシーバＵＥのデュアルレシーバ能力により優先サービスを含む全ての所望のサービスを受信できるのであれば、前記優先サービス／周波数、又は解除されるＲＢを前記ネットワークに通知する必要がない。
【０１１３】
図９は本発明の一実施形態によるデュアルレシーバＵＥの動作を示す図である。時間周期０のＵＥは周波数Ｂに位置してＭＩＣＨを受信している。ＭＩＣＨを検出すると、前記ＵＥは、周波数ＢでＭＣＣＨの読み込みを開始し、さらに周波数コンバージェンス情報を受信する（時間周期１）。前記ＵＥがデュアルレシーバを含むため、第２レシーバをアクティブにして周波数ＡのＭＣＣＨの受信を開始することができる（時間周期２）。前記ＵＥは周波数ＢでＭＩＣＨを受信する必要がないが、必要な場合、前記ＵＥは周波数ＢでＭＩＣＨ又はＭＣＣＨの受信を選択的に再開始することができる。
【０１１４】
図９はＭＴＣＨ上でのサービス伝送を示す。ＭＢＭＳサービスがＰｔＰベアラで開始される場合、前記ＵＥは時間周期３及び４で周波数コンバージェンスを行い、ＰｔＰベアラを要求することができる。
【０１１５】
Ｒｅｌ−６のＵＥが周波数コンバージェンスを行っている場合は、一般的にＲｅｌ−６インタ周波数セル選択規則（inter  frequency  cell  selection  rules）に従う。現在、デュアルレシーバＵＥがデュアルレシーバＵＥのデュアルレシーバ能力を利用してＭＢＭＳ  ＭＴＣＨを最も良く受信するための適切なソリューションは存在しない。しかしながら、一実施形態によれば、これを達成するための技術は、デュアルレシーバＵＥが前記インタ周波数セル再選択規則に従い、ＭＢＭＳ受信のための周波数でＢＣＣＨを読み込むようにするというものである。
【０１１６】
又は、前記デュアルレシーバＵＥは、デュアルレシーバＵＥが登録したネットワークに属するセルを選択するように構成するか、又はデュアルレシーバＵＥが加入したＭＢＭＳサービスを提供するセルを選択するように構成することができる。このような要求事項を確実に達成するために、前記ＵＥは、例えば（もしある場合は）ＵＥが位置するセルで選好周波数リスト又は隣接セルリストを利用することができる。他の代案として、デュアルレシーバＵＥがリッスンするように許可されたセル又は周波数を含むＭＢＭＳ特定隣接セル又は周波数リストの導入を挙げることができる。
【０１１７】
このようなシナリオにおいて、デュアルレシーバＵＥは、デュアルレシーバＵＥが加入したＭＢＭＳサービスを受信することができる。しかしながら、カウント及びＰｔＰ要求を行うために、前記ＵＥは一般的に周波数コンバージェンスを行う必要がある。
【０１１８】
デュアルレシーバＵＥの制御を最適化するために、ＭＣＣＨは、特定能力（例えば、デュアルレシーバ、ＦＤＤ及びＴＤＤレシーバなど）を有するＵＥによってのみ読み込まれる特定拡張子を運ぶように構成することができる。その例を図１０に示す。これは、カウントに関する情報を有する前記ＵＥのセルと比較して、前記ＵＥが異なる周波数／セルでカウント／ＭＢＭＳ  ＰｔＰ設定に応答できるように、前述の欠点を最小化又は除去する。
【０１１９】
これが可能であることをＵＥに通知するために、一般的にＢＣＣＨ又はＭＣＣＨを利用して情報が前記ＵＥに伝送される。これは、ＭＢＭＳ一般情報メッセージ（MBMS  general  information  message）にある周波数コンバージェンス情報のような暗示的な情報でもよい。すなわち、隣接周波数が通知された場合、前記ＵＥは、前記所定の隣接周波数で受信されたＭＣＣＨのためのカウントに応答できるようになる。しかし、これは図１１に示すように、前記ＵＥが例えばセル６に位置し、セル７でカウントに応答する結果につながる。ＲＮＣ  Ｉではなく、ＲＮＣ  IIがセル７を制御するため、これは非常に有用な情報ではない。従って、明示的な指示（explicit  indication）を導入することが有用である。
【０１２０】
例えば、明示的な指示は周波数Ｂ上で伝送することができ、例えばセル５で周波数Ａのどのセルがカウント応答／ＭＢＭＳ  ＰｔＰベアラ要求を伝送するように許可されるか、又はその反対の場合（すなわち、周波数Ａのセルの場合、周波数Ｂのどのセルがカウント応答を伝送できるかの指示）を含むことができる。
【０１２１】
これは、ＵＥが位置するセルとＵＥがＭＣＣＨを読み込むセルとが同一のＲＮＣにより制御される場合、前記ＲＮＣのみ前記カウント応答／ＭＢＭＳ  ＰｔＰベアラ要求を解析できるためである。
【０１２２】
（関連出願の参照）
米国特許法§１１９（ｅ）に従い、本出願は、２００６年２月６日付けで出願された仮出願番号６０／７７１，５２０号、２００６年５月２日付けで出願された６０／７９７，４０２号、及び２００６年５月３日付けで出願された６０／７９７，４５９号の優先権を主張する。これら出願の全内容は参考として本出願に全て援用される。
【０１２３】
（発明の背景）
発明の分野
本発明は無線通信システムに関し、特にネットワークとデュアルレシーバユーザ装置（ＵＥ）間の通信に関する。
【０１２４】
（従来技術の説明）
ＵＭＴＳ（Universal  Mobile  Telecommunications  System）は、欧州標準であるＧＳＭ（Global  System  for  Mobile  communications）から進化した欧州型第３世代ＩＭＴ−２０００移動通信システムである。ＵＭＴＳは、ＧＳＭコアネットワークとＷ−ＣＤＭＡ（Wideband  Code  Division  Multiple  Access）無線接続技術に基づいて向上した移動通信サービスを提供することを目標とする。
【０１２５】
１９９８年１２月、ヨーロッパのＥＴＳＩ、日本のＡＲＩＢ／ＴＴＣ、米国のＴ１、及び韓国のＴＴＡは３ＧＰＰ（Third  Generation  Partnership  Project）を構成した。３ＧＰＰはＵＭＴＳ技術の詳細仕様を作成する。ＵＭＴＳの迅速で効果的な技術開発を達成するために、３ＧＰＰ内には、ネットワーク構成要素の独立性とこれらの動作を考慮して、ＵＭＴＳの標準化作業のための５つの技術仕様グループ（Technical  Specification  Groups；ＴＳＧ）が作成された。
【０１２６】
各ＴＳＧは、関連した領域内で標準仕様を開発、承認、及び管理する。そのうち、無線アクセスネットワーク（Radio  Access  Network；ＲＡＮ）グループ（ＴＳＧ−ＲＡＮ）は、ＵＭＴＳにおいてＷ−ＣＤＭＡアクセス技術をサポートするための新しい無線アクセスネットワークであるＵＴＲＡＮ（UMTS  Terrestrial  Radio  Access  Network）の機能、要求事項、及びインタフェースの標準を開発する。
【０１２７】
図１はＵＥ、ＵＴＲＡＮ、及びコアネットワークを含むＵＭＴＳネットワークの概要を示す図である。ＵＴＲＡＮは、Ｉｕｂインタフェースで通信する複数の無線ネットワーク制御装置（Radio  Network  Controller;  RNC）とＮｏｄｅ  Ｂとから構成される。
【０１２８】
各ＲＮＣは複数のＮｏｄｅ  Ｂを制御する。前記各ＲＮＣは、Ｉｕインタフェースを介して前記コアネットワーク（ＣＮ）に接続されるが、特に前記ＣＮのＭＳＣ（Mobile-services  Switching  Center）及びＳＧＳＮ（Serving  GPRS  Support  Node）に接続される。前記ＲＮＣは、Ｉｕｒインタフェースを介して他のＲＮＣに接続することもできる。前記ＲＮＣは、無線リソースの割当及び管理を担当し、前記コアネットワークに対するアクセスポイントの役割を果たす。
【０１２９】
前記Ｎｏｄｅ  Ｂは、アップリンク伝送で端末の物理層により送信された情報を受信し、ダウンリンク伝送で端末にデータを送信する。前記Ｎｏｄｅ  Ｂは、端末に対するＵＴＲＡＮのアクセスポイントの役割を果たす。
【０１３０】
前記ＳＧＳＮは、Ｇｆインタフェースを介してＥＩＲ（Equipment  Identity  Register）に、ＧＳインタフェースを介してＭＳＣに、ＧＮインタフェースを介してＧＧＳＮ（Gateway  GPRS  Support  Node）に、並びにＧＲインタフェースを介してＨＳＳ（Home  Subscriber  Server）に接続される。前記ＥＩＲはネットワークで利用できるモバイルのリストを維持する。
【０１３１】
回線交換サービスのための接続を制御する前記ＭＳＣは、ＮＢインタフェースを介してＭＧＷ（Media  Gateway）に、Ｆインタフェースを介してＥＩＲに、並びにＤインタフェースを介してＨＳＳに接続される。前記ＭＧＷは、Ｃインタフェースを介してＨＳＳに接続され、ＰＳＴＮ（Public  Switched  Telephone  Network）に接続される。前記ＭＧＷは、前記ＰＳＴＮと前記接続されたＲＡＮ間のコーデックの適応を容易にする。
【０１３２】
前記ＧＧＳＮは、ＧＣインタフェースを介してＨＳＳに接続され、ＧＩインタフェースを介してインターネットに接続される。前記ＧＧＳＮは、様々な無線アクセスベアラ（Radio  Access  Bearer;  RAB）へのデータフローのルーティング、課金、及び分離の責任を負う。前記ＨＳＳはユーザの加入データを処理する。
【０１３３】
ＵＴＲＡＮは、端末とコアネットワーク間の通信のために、無線アクセスベアラ（ＲＡＢ）を構成して維持する。前記コアネットワークは、ＲＡＢにエンドツーエンドサービス品質（Quality  of  Service;  QoS）要求事項を要求し、前記ＲＡＢは、前記コアネットワークが設定したＱｏＳ要求事項をサポートする。従って、ＵＴＲＡＮは前記ＲＡＢを構成して維持することで前記エンドツーエンドＱｏＳ要求事項を満たすことができる。
【０１３４】
特定端末に提供されるサービスは、大きく回線交換サービスとパケット交換サービスとに分けられる。例えば、一般的な音声対話サービスは回線交換サービスであり、インターネット接続によるウェブブラウジングサービスはパケット交換サービスである。
【０１３５】
前記回線交換サービスをサポートする場合、前記ＲＮＣは、前記コアネットワークのＭＳＣに接続され、前記ＭＳＣは、他のネットワークとの接続を管理するＧＭＳＣ（Gateway  Mobile  Switching  Center）に接続される。前記パケット交換サービスをサポートする場合、前記ＲＮＣは、前記コアネットワークのＳＧＳＮ及びＧＧＳＮに接続される。前記ＳＧＳＮは、前記ＲＮＣとのパケット通信をサポートし、前記ＧＧＳＮは、インターネットなどの他のパケット交換ネットワークとの接続を管理する。
【０１３６】
図２は３ＧＰＰ無線アクセスネットワークの標準に準拠した端末とＵＴＲＡＮ間の無線インタフェースプロトコルの構造を示す図である。図２に示すように、無線インタフェースプロトコルは、物理層、データリンク層、及びネットワーク層からなる垂直層（vertical  layer）、並びにユーザデータを伝送するためのユーザプレーン（U-plane）、及び制御情報を伝送するための制御プレーン（C-plane）からなる水平プレーン（horizontal  plane）を有する。
【０１３７】
前記ユーザプレーンは、音声やＩＰ（Internet  Protocol）パケットなどのユーザのトラフィック情報を管理する領域であり、前記制御プレーンは、ネットワークのインタフェース、呼の維持及び管理などに関する制御情報を管理する領域である。
【０１３８】
図２のプロトコル層は、ＯＳＩ（Open  System  Interconnection）参照モデルの下位３層に基づいて、第１層（Ｌ１）、第２層（Ｌ２）、及び第３層（Ｌ３）に区分できる。前記第１層（Ｌ１）又は物理層は、多様な無線伝送技術により上位層に情報伝送サービス（Information  Transfer  Service）を提供する。前記物理層は、トランスポートチャネルを介して上位層である媒体アクセス制御（Medium  Access  Control;  MAC）層に接続される。
【０１３９】
前記ＭＡＣ層と物理層とはトランスポートチャネルでデータを送受信する。前記第２層（Ｌ２）は、ＭＡＣ層、無線リンク制御（Radio  Link  Control;  RLC）層、ブロードキャスト／マルチキャスト制御（Broadcast/Multicast  Control;  BMC）層、及びパケットデータコンバージェンスプロトコル（Packet  Data  Convergence  Protocol;  PDCP）層を含む。
【０１４０】
前記ＭＡＣ層は、論理チャネルとトランスポートチャネル間のマッピングを担当し、無線リソースの割当及び再割当のためにＭＡＣパラメータの割当を提供する。前記ＭＡＣ層は、論理チャネルを介して上位層であるＲＬＣ層に接続される。
【０１４１】
伝送される情報の種類によって多様な論理チャネルが提供される。一般に、制御プレーンの情報を伝送する場合は制御チャネルが使用され、ユーザプレーンの情報を伝送する場合はトラフィックチャネルが使用される。
【０１４２】
論理チャネルは、共有するか否かによって共通チャネル又は専用チャネルになる。論理チャネルは、ＤＴＣＨ（Dedicated  Traffic  Channel）、ＤＣＣＨ（Dedicated  Control  Channel）、ＣＴＣＨ（Common  Traffic  Channel）、ＣＣＣＨ（Common  Control  Channel）、ＢＣＣＨ（Broadcast  Control  Channel）、並びにＰＣＣＨ（Paging  Control  Channel）もしくはＳＨＣＣＨ（Shared  Channel  Control  Channel）を含む。
【０１４３】
前記ＢＣＣＨは、システムにアクセスするために端末が利用した情報を含む情報を提供する。前記ＰＣＣＨは、端末にアクセスするためにＵＴＲＡＮが使用する。
【０１４４】
ＭＢＭＳ（Multimedia  Broadcast/Multicast  Service）のために、ＭＢＭＳ標準にトラフィックチャネル及び制御チャネルがさらに取り入れられる。ＭＣＣＨ（MBMS  point-to-multipoint  Control  Channel）を使用してＭＢＭＳ制御情報を伝送し、ＭＴＣＨ（MBMS  point-to-multipoint  Traffic  Channel）を使用してＭＢＭＳサービスデータを伝送する。ＭＳＣＨ（MBMS  Scheduling  Channel）を使用してスケジューリング情報を伝送する。図３は多様な論理チャネルのリストを示す図である。
【０１４５】
ＭＡＣ層は、トランスポートチャネルを介して物理層に接続され、管理されるトランスポートチャネルのタイプによってＭＡＣ−ｂサブレイヤ、ＭＡＣ−ｄサブレイヤ、ＭＡＣ−ｃ／ｓｈサブレイヤ、ＭＡＣ−ｈｓサブレイヤ、及びＭＡＣ−ｍサブレイヤに分けることができる。前記ＭＡＣ−ｂサブレイヤは、システム情報のブロードキャストを担当するトランスポートチャネルであるＢＣＨ（Broadcast  Channel）を管理する。前記ＭＡＣ−ｃ／ｓｈサブレイヤは、複数の端末が共有するＦＡＣＨ（Forward  Access  Channel）もしくはＤＳＣＨ（Downlink  Shared  Channel）などの共通トランスポートチャネル、又はアップリンクではＲＡＣＨ（Random  Access  Channel）を管理する。前記ＭＡＣ−ｍサブレイヤは、ＭＢＭＳデータを処理する。
【０１４６】
図４はＵＥの観点から論理チャネルとトランスポートチャネル間の可能なマッピングを示す図であり、図５はＵＴＲＡＮの観点から論理チャネルとトランスポートチャネル間の可能なマッピングを示す図である。
【０１４７】
前記ＭＡＣ−ｄサブレイヤは、特定端末のための専用トランスポートチャネルであるＤＣＨ（Dedicated  Channel）を管理する。前記ＭＡＣ−ｄサブレイヤは、該当端末を管理するＳＲＮＣ（Serving  Radio  Network  Controller）に位置する。また、１つのＭＡＣ−ｄサブレイヤは各端末内に存在する。
【０１４８】
ＲＬＣ動作モードによって、ＲＬＣ層は、信頼性のあるデータ伝送をサポートし、上位層から伝送された複数のＲＬＣサービスデータユニット（ＲＬＣ  ＳＤＵ）に対する分割及び接続機能を実行する。ＲＬＣ層は、上位層から前記ＲＬＣ  ＳＤＵを受信すると、処理容量を考慮して適当な方式で各ＲＬＣ  ＳＤＵのサイズを調節して、ヘッダ情報が付加されたデータユニットを生成する。前記データユニットをプロトコルデータユニット（ＰＤＵ）といい、前記ＰＤＵは論理チャネルを介してＭＡＣ層に伝送される。前記ＲＬＣ層は、前記ＲＬＣ  ＳＤＵ及び／又はＲＬＣ  ＰＤＵを保存するためのＲＬＣバッファを含む。
【０１４９】
ＢＭＣ層は、コアネットワークから受信したセルブロードキャスト（Cell  Broadcast;  CB）メッセージをスケジューリングし、前記ＣＢメッセージを特定セル又はそのセルに位置する端末にブロードキャストする。
【０１５０】
ＲＬＣ層の上位層であるＰＤＣＰ層は、ＩＰｖ４やＩＰｖ６などのネットワークプロトコルデータを相対的に帯域幅の小さい無線インタフェースに効果的に伝送するのに使用される。これを達成するために、ＰＤＣＰ層は、有線ネットワークで使用された不要な制御情報を減らすが、このような機能をヘッダ圧縮という。
【０１５１】
無線リソース制御（Radio  Resource  Control;  RRC）層は、前記第３層（Ｌ３）の最下位に位置する層であり、制御プレーンでのみ定義される。前記ＲＲＣ層は、無線ベアラ（ＲＢ）の設定、再設定、及び解除又は取消に関するトランスポートチャネル及び物理チャネルを制御する。さらに、前記ＲＲＣは、前記ＲＡＮ内でのユーザ移動性、及び位置サービスなどのさらなるサービスを担当する。
【０１５２】
前記ＲＢとは、端末とＵＴＲＡＮ間のデータ伝送のために前記第２層（Ｌ２）が提供するサービスを意味する。一般に、ＲＢの設定とは、特定データサービスを提供するために必要なプロトコル層及びチャネルの特性を規定し、詳細なパラメータ及び動作方法をそれぞれ設定する過程を意味する。
【０１５３】
所定のＵＥのための無線ベアラとトランスポートチャネル間のマッピングの様々な可能性が常に成立するわけではない。ＵＥ及びＵＴＲＡＮは、ＵＥの状態やＵＥ及びＵＴＲＡＮが現在行っている手順によって可能なマッピングを推論する。様々な状態やモードについては、以下に本発明に係る範囲内で説明する。
【０１５４】
様々なトランスポートチャネルは様々な物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの設定は、ＲＮＣとＵＥ間のＲＲＣシグナリング交換により行われる。
【０１５５】
ＲＲＣモードは、端末のＲＲＣとＵＴＲＡＮのＲＲＣ間に論理接続が存在するか否かを示す。接続が存在する場合、前記端末はＲＲＣ接続モードであり、接続が存在しない場合、前記端末はアイドルモードである。
【０１５６】
ＲＲＣ接続モードの端末に対してＲＲＣ接続が存在するため、ＵＴＲＡＮは、セルユニット内に特定端末が存在するか否かを判断できる。例えば、ＵＴＲＡＮは、ＲＲＣ接続モードの端末がどのセルもしくはセルのセットに存在するか、並びにＵＥがどの物理チャネルをリッスンしているかを判断できるので、端末を効果的に制御することができる。
【０１５７】
一方、ＵＴＲＡＮは、アイドルモードの端末が存在するか否かを判断することができない。アイドルモードの端末が存在するか否かは、例えばロケーションやルーティングエリアのようにセルより大きい地域内でコアネットワークによってのみ判断される。従って、アイドルモードの端末が存在するか否かは、広い地域内で判断され、音声やデータのような移動通信サービスを受信するためには、アイドルモードの端末はＲＲＣ接続モードに移行又は変更しなければならない。モード及び状態間の可能な変化についての説明は図６に示す通りである。
【０１５８】
ＲＲＣ接続モードのＵＥは、ＣＥＬＬ＿ＦＡＣＨ状態、ＣＥＬＬ＿ＰＣＨ状態、ＣＥＬＬ＿ＤＣＨ状態、又はＵＲＡ＿ＰＣＨ状態のように様々な状態にある。前記状態によって、ＵＥは異なる動作を行い、異なるチャネルをリッスンする。
【０１５９】
例えば、ＣＥＬＬ＿ＤＣＨ状態のＵＥは、様々なチャネルのうちＤＣＨタイプのトランスポートチャネルをリッスンするであろう。ＤＣＨタイプのトランスポートチャネルはＤＴＣＨ及びＤＣＣＨトランスポートチャネルを含み、これは所定のＤＰＣＨ、ＤＰＤＳＣＨ、又は他の物理チャネルにマッピングできるチャネルである。
【０１６０】
ＣＥＬＬ＿ＦＡＣＨ状態のＵＥは、特定Ｓ−ＣＣＰＣＨにマッピングされるいくつかのＦＡＣＨトランスポートチャネルをリッスンするであろう。ＰＣＨ状態のＵＥは、特定Ｓ−ＣＣＰＣＨ物理チャネルにマッピングされるＰＩＣＨチャネル及びＰＣＨチャネルをリッスンするであろう。
【０１６１】
主なシステム情報は、Ｐ−ＣＣＰＣＨ（Primary  Common  Control  Physical  Channel）にマッピングされるＢＣＣＨ論理チャネルで伝送される。特定システム情報ブロックはＦＡＣＨチャネルで伝送される。前記システム情報がＦＡＣＨチャネルで伝送される場合、ＵＥはＰ−ＣＣＰＣＨで受信したＢＣＣＨ又は専用チャネルでＦＡＣＨの構成を受信する。前記システム情報がＢＣＣＨで（すなわち、Ｐ−ＣＣＰＣＨを介して）伝送される場合、ＵＥとＮｏｄｅ  Ｂ間で同一のタイミング参照（timing  reference）を共有するために使用されるＳＦＮ（System  Frame  Number）が各フレームで又は２フレームのセットで伝送される。前記Ｐ−ＣＣＰＣＨは、セルのプライマリスクランブルコードであるＰ−ＣＰＩＣＨ（Primary  Common  Pilot  Channel）と同一のスクランブルコードを使用して伝送される。前記Ｐ−ＣＣＰＣＨにより使用される拡散コードは、固定拡散率（Spreading  Factor;  SF）２５６であり、その番号は１である。前記ＵＥは、ＵＥが読み込んだ隣接セルのシステム情報に関して前記ネットワークから伝送された情報により、ＵＥがＤＣＣＨチャネルで受信したメッセージにより、又は前記固定ＳＦ２５６と前記拡散コード番号０を利用して伝送され、固定されたパターンを伝送するＰ−ＣＰＩＣＨを検索することにより、前記プライマリスクランブルコードが分かる。
【０１６２】
前記システム情報は、隣接セル、ＲＡＣＨ及びＦＡＣＨトランスポートチャネルの構成、並びにＭＢＭＳサービスのための専用チャネルであるＭＩＣＨ及びＭＣＣＨの構成に関する情報を含む。
【０１６３】
前記ＵＥが（アイドルモードで）位置するセルを変更する度に、又は前記ＵＥがセル（ＣＥＬＬ＿ＦＡＣＨ、ＣＥＬＬ＿ＰＣＨ、又はＵＲＡ＿ＰＣＨで）状態を選択した場合、前記ＵＥは前記ＵＥが有効なシステム情報を有しているか否かを確認する。前記システム情報は、システム情報ブロック（System  Information  Block;  SIB）、マスタ情報ブロック（Master  Information  Block;  MIB）、及びスケジューリングブロックから構成される。前記ＭＩＢは非常に頻繁に伝送され、前記スケジューリングブロック及び様々なＳＩＢのタイミング情報を提供する。バリュータグ（value  tag）にリンクされているＳＩＢのために、前記ＭＩＢは、一部のＳＩＢの最新バージョンに関する情報をも含む。バリュータグにリンクされていないＳＩＢは、期限タイマーにリンクされる。前記期限タイマーにリンクされているＳＩＢは無効になり、前記ＳＩＢの最新読み込み時間が前記期限タイマーの値より大きい場合、再び読み込む必要がある。前記バリュータグにリンクされているＳＩＢは、前記ＭＩＢからブロードキャストされたバリュータグと同一のバリュータグを有する場合にのみ有効である。各ブロックは、前記ＳＩＢがいずれのセルで有効であるかを示す有効性のエリア範囲（Ｃｅｌｌ、ＰＬＭＮ、等価（equivalent）ＰＬＭＮ）を有する。エリア範囲「Ｃｅｌｌ」を有するＳＩＢは、ＳＩＢ自身が読み込まれたセルに対してのみ有効である。エリア範囲「ＰＬＭＮ」を有するＳＩＢは、全てのＰＬＭＮで有効であり、エリア範囲「等価ＰＬＭＮ」を有するＳＩＢは、全てのＰＬＭＮと等価ＰＬＭＮで有効である。
【０１６４】
一般に、ＵＥは、アイドルモードである場合や、ＵＥが選択したセル又はＵＥが位置するセルがＣＥＬＬ＿ＦＡＣＨ状態、ＣＥＬＬ＿ＰＣＨ状態、又はＵＲＡ＿ＰＣＨ状態である場合、前記システム情報を読み込む。前記システム情報において、前記ＵＥは、同一周波数、異なる周波数、及び様々な無線アクセス技術（Radio  Access  Technologies;  RAT）で隣接セルに関する情報を受信する。これにより、前記ＵＥはいずれのセルがセル再選択のための候補セルであるかが分かる。
【０１６５】
ＭＢＭＳは仕様のＲｅｌｅａｓｅ６（Ｒｅｌ−６）でＵＭＴＳ標準に取り入れられた。これは、１対多伝送、１対多及び１対１ベアラ間の選択的な組み合わせ及び伝送モードの選択を含むＭＢＭＳベアラサービスの伝送の最適化のための技術を記述している。これは、同一のコンテンツが多数のユーザに伝送される場合に無線リソースを節約するために用いられ、テレビなどのサービスを可能にする。ＭＢＭＳデータは、制御プレーン情報とユーザプレーン情報の２つのカテゴリーに分けられる。前記制御プレーン情報は、物理層構成、トランスポートチャネル構成、無線ベアラ構成、進行中のサービス、カウント情報、スケジューリング情報などに関する情報を含む。前記ＵＥがこのような情報を受信できるように、ＭＢＭＳのためのＭＢＭＳベアラ特定制御情報（MBMS  bearer  specific  control  information）が前記ＵＥに伝送される。
【０１６６】
ＭＢＭＳベアラのユーザプレーンデータは、ただ１つのＵＥに伝送される１対１サービスのための専用トランスポートチャネルにマッピングすることもでき、同時に多数のユーザに送信（及び受信）される１対多サービスのための共有トランスポートチャネルにマッピングすることもできる。
【０１６７】
１対１伝送は、ＭＢＭＳ特定制御／ユーザプレーン情報だけでなく、ＲＲＣ接続モードでネットワークとＵＥ間で専用制御／ユーザプレーン情報を伝送するのに用いられ、ＭＢＭＳのマルチキャスト又はブロードキャストモードのためにも用いられる。ＤＴＣＨはＣＥＬＬ＿ＦＡＣＨ及びＣＥＬＬ＿ＤＣＨでＵＥのために使用される。これはトランスポートチャネルに対する既存のマッピングを可能にする。
【０１６８】
セルリソースを最適化した方式で使用するために、「カウント」機能がＭＢＭＳアプリケーションに導入された。前記カウント手順は、所定のサービスの受信に関心のあるＵＥがいくつかを判断するために用いられる。これは図７に示すカウント手順を用いて行われる。
【０１６９】
例えば、所定のサービスに関心のあるＵＥは、ＭＢＭＳサービスの利用可能性に関する情報を受信する。前記ネットワークは、ＭＣＣＨチャネルで「アクセス情報」を伝送するときと同じ方式で、前記ＵＥが前記ネットワークに前記サービスに対する関心を示すべきことを前記ＵＥに通知することができる。前記アクセス情報メッセージに含まれる確率係数（probability  factor）は、関心のあるＵＥのみ所定の確率で応答すると判断する。前記ＵＥが前記ネットワークに所定のサービスに関心があることを通知するために、前記ＵＥは、ＲＲＣ接続設定メッセージ、又は前記ＵＥが前記カウント情報を受信したセルでのセルアップデートメッセージを前記ネットワークに送信する。このようなメッセージは、前記ＵＥが関心のあるサービスを示す識別子を含むこともある。
【０１７０】
１対多伝送は、ＲＲＣ接続モード又はアイドルモードで、ネットワークと複数のＵＥ間でＭＢＭＳ特定制御／ユーザプレーン情報を伝送するのに用いられる。前記１対多伝送は、ＭＢＭＳのブロードキャスト又はマルチキャストモードのために用いられる。
【０１７１】
ネットワークが複数の周波数で動作する場合、ＵＥが１つの周波数に位置し、ＭＢＭＳサービスが異なる周波数で伝送されると、前記ＵＥはＭＢＭＳサービスが異なる周波数で伝送されることを認識できないこともある。従って、周波数コンバージェンス手順は、前記ＵＥが所定のサービスを周波数Ｂで利用できることを示す情報を周波数Ａで受信できるようにする。
【０１７２】
（発明の概要）
本発明の特性及び利点は後述する発明の詳細な説明に記述されるが、一部はその詳細な説明から明らかになるか、又は本発明の実施により理解されるであろう。本発明の目的及び他の利点は、特に詳細な説明及び請求の範囲、並びに添付図面に開示された構成により実現及び達成される。
【０１７３】
一実施形態によれば、ネットワークとデュアルレシーバＵＥ間の通信方法は、第１周波数で第１ネットワークノードから第１シグナリングを受信する段階と、第２周波数で第２ネットワークノードからＰｔＭ制御チャネルを介して第２シグナリングを受信する段階とを含む。前記方法は、前記ＰｔＭ制御チャネルを介して要求が伝達されるように、前記第２周波数で前記第２ネットワークノードから前記要求を受信する段階と、前記第２ネットワークノードからの前記要求に対する応答を前記第１ネットワークノードに送信する段階とをさらに含む。
【０１７４】
一態様において、前記方法は、前記第２周波数で伝送し、かつ前記第１ネットワークノードにより提供されるセルカバレッジの少なくとも一部とオーバーラップするセルカバレッジを提供する、少なくとも１つの異なるネットワークノードのリストを受信する段階をさらに含む。
【０１７５】
他の態様において、前記方法は、少なくとも１つのＩＤが前記第２ネットワークノードを識別できるように、前記第１ネットワークノードから前記少なくとも１つのＩＤを受信する段階をさらに含む。
【０１７６】
さらに他の態様において、前記方法は、送信許可（transmission  permission）が前記応答を前記第１ネットワークノードに送信させるように、前記第１ネットワークノード又は前記第２ネットワークノードから前記送信許可を受信する段階をさらに含む。
【０１７７】
さらに他の態様において、前記送信許可は、前記第２ネットワークノードから受信され、前記応答を送信できるネットワークノードのリストを含む。
【０１７８】
一特徴において、前記送信許可は、前記第１ネットワークノードから受信され、前記要求が受信されたネットワークノードのリストを含む。
【０１７９】
他の特徴において、前記方法は、周波数変換メッセージにより、前記第２周波数で伝送する第３ネットワークノードの再選択をＵＥが試みることができるように、前記第１ネットワークノードから前記周波数変換メッセージを受信する段階をさらに含む。この特徴において、前記送信許可は、前記ＵＥが再選択を試みないように、前記ＵＥに前記メッセージを無視させる。
【０１８０】
さらに他の特徴において、前記応答は、前記ＵＥに関連するサービスを識別するサービス識別子、前記第２周波数を識別する周波数識別子、及び前記第２ネットワークノードを識別するセル識別子の少なくとも１つを含む。
【０１８１】
さらに他の特徴において、前記応答は、ＲＲＣ接続要求とセルアップデートのいずれか一方、又はＭＢＭＳ変更要求を含む。
【０１８２】
一態様において、前記要求はカウント要求又は１対１設定要求である。
【０１８３】
他の態様において、前記ＰｔＭ制御チャネルはＭＢＭＳ１対多制御チャネルである。
【０１８４】
さらに他の態様によれば、前記第１シグナリングを受信する段階と前記第２シグナリングを受信する段階とは実質的に同時に発生する。
【０１８５】
さらに他の態様によれば、前記第１ネットワークノード及び前記第２ネットワークノードは、１つの基地局で実現されるか、又は異なる基地局で別々に実現される。
【０１８６】
代替実施形態によれば、ネットワークとデュアルレシーバＵＥ間の通信方法は、第１周波数で第１ネットワークノードから第１シグナリングを通信する段階と、第２周波数で第２ネットワークノードからＰｔＭ制御チャネルを介して第２シグナリングを通信する段階とを含む。前記方法は、前記ＰｔＭ制御チャネルを介して要求が伝達されるように、前記第２周波数で前記第２ネットワークノードから前記要求を通信する段階と、前記第２ネットワークノードからの前記要求に対する応答を前記第１ネットワークノードで受信する段階とをさらに含む。
【０１８７】
他の代替実施形態によれば、ネットワークとＵＥ間の通信方法は、第１ネットワークノードから通信信号を受信する段階と、前記第１ネットワークノードにアップリンク能力が不足していることを確認する段階とを含む。前記方法は、前記第１ネットワークノードがＭＢＭＳサービスを提供することを確認する段階と、アップリンク能力が不足していることを確認したにもかかわらず、前記第１ネットワークノードから前記ＭＢＭＳサービスを受信する段階とをさらに含む。
【０１８８】
さらに他の代替実施形態によれば、ネットワークとＵＥ間の通信方法は、第１ネットワークノードからＭＢＭＳサービスを提供する段階と、前記第１ネットワークノードにアップリンク能力が不足していることを示す段階とを含む。前記方法は、前記第１ネットワークノードにアップリンク能力が不足していることを示しているにもかかわらず、前記ＵＥが前記ＭＢＭＳサービスを受信するように許可されることを示す段階をさらに含む。
【０１８９】
上記及びその他の実施形態は添付図面を参照した本実施形態の後述する詳細な説明から当業者に明らかになり、本発明は開示されたいずれの特定実施形態にも限定されない。
【０１９０】
（図面の簡単な説明）
本発明の理解を助けるために含まれ、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【０１９１】
図１は、従来のＵＭＴＳネットワークを示す図である。
【０１９２】
図２は、従来のＵＥとＵＴＲＡＮ間の無線インタフェースプロトコルを示す図である。
【０１９３】
図３は、論理チャネル構造を示す図である。
【０１９４】
図４は、ＵＥの観点から論理チャネルとトランスポートチャネル間の可能なマッピングを示す図である。
【０１９５】
図５は、ＵＴＲＡＮの観点から論理チャネルとトランスポートチャネル間の可能なマッピングを示す図である。
【０１９６】
図６は、ＵＥ状態の可能な変化を示す図である。
【０１９７】
図７は、従来のカウント手順を示す図である。
【０１９８】
図８は、Ｒｅｌ−７デュアルレシーバＵＥを有する、Ｒｅｌ−６におけるＦＤＤ  ＭＢＭＳマルチキャリアネットワークを示す図である。
【０１９９】
図９は、本発明の一実施形態によるデュアルレシーバＵＥの動作を示す図である。
【０２００】
図１０は、Ｒｅｌ−７デュアルレシーバＵＥのための最適化を伴う、Ｒｅｌ−６におけるＭＢＭＳマルチキャリアネットワークを示す図である。
【０２０１】
図１１は、ＵＥがＭＣＣＨ上で動作できるセルを示す図である。
【０２０２】
図１２は、ＵＥがＭＣＣＨ／ＭＴＣＨの受信を試みるセルを示す図である。
【０２０３】
図１３は、デュアルレシーバＵＥ（ＦＤＤ／ＴＤＤ）のための別個の独立ＭＢＭＳダウンリンクＯＮＬＹ周波数を有するＲｅｌ−６ネットワーク（シングルキャリア又はマルチキャリア）を示す図である。
【０２０４】
図１４は、本発明の一実施形態によるネットワークとデュアルレシーバＵＥ間の通信方法を示すフローチャートである。
【０２０５】
図１５は、本発明の代替実施形態によるネットワークとデュアルレシーバＵＥ間の通信方法を示すフローチャートである。
【０２０６】
図１６は、本発明の一実施形態による移動通信端末を示す図である。
【０２０７】
（好ましい実施形態の詳細な説明）
以下、本発明の好ましい実施形態について添付図面を参照して詳細に説明する。同一の参照番号が図面全体で同一又は類似の部分を参照するように用いられる。
【０２０８】
本発明の多様な実施形態は、２つの異なる周波数でＭＢＭＳサービスと専用サービスを同時に受信する方法を含む。特定実施形態は、カウント、ＰｔＰ設定、及び周波数コンバージェンスなどの内容を含む。
【０２０９】
周波数分割複信（Frequency  Division  Duplex;  FDD）のケースに関して、ＭＢＭＳ専用であるＵＥに第２レシーバを追加することは、様々な利点を有し、ネットワークに自由を提供する。このようなデュアルレシーバＵＥはいくつかの好ましいオプションを提供する。例えば、前記第２レシーバは、衝突の潜在的な数（potential  number）を減らすか、又はＭＢＭＳ専用で前記第２レシーバにより受信できる周波数を追加するのに利用することができる。
【０２１０】
前記ネットワークは、デュアルレシーバを有しないＵＥとの利用のために、バックワード能力（backward  capability）を有することが好ましい。バックワード能力を確保するために、前記ネットワークはこのような懸案事項を解決できるように特定機能を備えることができる。例えば、前記ネットワークは、デュアルレシーバＵＥに対する特定ＵＥ動作が許可されるか否かを、専用又は共用制御シグナリングにより示すことができる。１つの方法として、前記ＵＥがＭＢＭＳの受信のために前記第２レシーバ（ＦＤＤ又はＴＤＤ）を利用しないように、ＭＢＭＳデフォルト動作を設定する方法がある。
【０２１１】
ノン−Ｒｅｌ．７  ＵＥ（例えば、デュアルレシーバを有しないＵＥ）が前記専用ＭＢＭＳ周波数に位置することを防止するための１つの方法は、そのＵＥに対して「周波数を隠す」というものである。このような方法を用いることによって、前記専用ＭＢＭＳ周波数に関連するセルは、全てのＵＥに利用可能な周波数の隣接セルリストに含まれない。特に、デュアルレシーバＵＥのみ前記専用周波数をリッスンできるように、ＢＣＣＨ／ＭＣＣＨで、例えば特定拡張子を利用して、ＭＢＭＳに関連するさらなるセル又は周波数を代案として提供することができる。
【０２１２】
他の懸案事項は、単一のレシーバＵＥが周期的な周波数スキャン中にＭＢＭＳ周波数を検出することである。このような懸案事項を解決するための１つの方法は、次のＳＩＢ（１、３、５  ５ｂｉｓ、又は７（ＴＤＤの場合はＳＩＢ１３））の１つ以上を前記周波数にブロードキャストしないというものである。
【０２１３】
このようなアプローチは、ＭＢＭＳサービスブロードキャストに関連するセルに関係なく、ＵＥがＵＥ自身が位置する周波数／セルでカウントに対して応答できるようにする。さらに、前記ＲＮＣが例えば適切なサービス識別子を利用してデュアルレシーバＵＥのためのカウント応答／ＰｔＰ設定を関連付けることができるように、特定処理を実現できる。
【０２１４】
ＭＢＭＳサービスを最適化するための他の方法は、ＭＢＭＳの伝送のためのＴＤＤスペクトル、及び専用サービスのためのＦＤＤスペクトルを用いるというものである。このシナリオにおいては、ＴＤＤの場合、アップリンク能力を含まないことが有益なことがある。従って、ＵＥは受信能力のみを必要とし、送信能力は必要としない。
【０２１５】
現在のソリューションは、ＦＤＤスペクトルからＴＤＤスペクトルに伝送されたＭＢＭＳサービス、及びその反対に伝送されたＭＢＭＳサービスを提供しないというものである。このようなタイプのインタラクションは、現在Ｒｅｌ−６ネットワークでは存在せず、これは潜在的にＴＤＤ  ｏｎｌｙ  ＵＥに関する相互運用性の問題を起こす。このような問題は、隠しＦＤＤ周波数の場合と同様に、アップリンク動作をサポートしないＴＤＤセルでＳＩＢ１３を伝送しないことで解決することができる。このシナリオにおいて、ＭＩＣＨは、１つの周波数（例えば、ＵＥが正規サービスのために位置するＦＤＤ周波数）でのみブロードキャストされ、セッション開始時にＵＥにＴＤＤレシーバを開始させることが好ましい。ＵＥがＴＤＤ周波数の受信を開始すべきことを示すサービスを利用するか、又は所定のサービスが関連ＴＤＤ周波数／セルでのみ利用可能であることをシグナリングするのに使用できるＭＣＣＨメッセージに特定拡張子を利用することも可能であろう。
【０２１６】
一般的に、デュアルレシーバＵＥは、１つの周波数（周波数Ａ）上で専用サービス及びＭＢＭＳ  ＰｔＰ／ＰｔＭサービスだけでなく、別個の周波数（周波数Ｂ）上でＰｔＭベアラで送信されたＭＢＭＳサービスを同時に受信することができる。これを提供する例は次の通りである。
【０２１７】
周波数Ａは、ＦＤＤ又はＴＤＤ（専用サービス及びＭＢＭＳ）に特徴づけられ、ＵＥがその専用サービスの受信のために位置する周波数である。このような周波数は、ＭＢＭＳとは独立したチャネル、周波数ＢでＭＢＭＳサービスとは独立したＭＩＣＨ又はＭＣＣＨ、及びＭＴＣＨ（デュアルレシーバを利用したＭＢＭＳサービスの受信によって決まるであろう）を含むことができる。
【０２１８】
周波数Ｂは、ＦＤＤ又はＴＤＤ（さらなるＭＢＭＳ能力）に特徴づけられる。このような周波数は、ＢＣＣＨ、周波数ＡでＭＢＭＳサービス又は専用サービスの受信とは独立したＭＩＣＨ又はＭＣＣＨ、及びＭＴＣＨ（デュアルレシーバを利用した周波数ＡでのＭＢＭＳサービスの受信によって決まるであろう）を含むことができる。
【０２１９】
本発明の実施形態によれば、デュアルレシーバＵＥは様々なシナリオで有用である。例えば、ＭＢＭＳマルチキャリアＲｅｌ−６ネットワークにおいて、Ｒｅｌ−６周波数コンバージェンス及びカウントは、１つの周波数でのみ伝送に利用することができ、デュアルレシーバＵＥのためのＲｅｌ−７規則は、ネットワークインパクトなしにＵＥが専用及びＭＢＭＳサービスを制限なく受信できるようにするのに利用することができる。
【０２２０】
他の実施形態において、Ｒｅｌ−７デュアルレシーバＵＥのための最適化を含むＭＢＭＳマルチキャリアＲｅｌ−６ネットワークにおいて、Ｒｅｌ−６周波数コンバージェンス及びカウントは、１つの周波数でのみ伝送に利用することができ、Ｒｅｌ−７規則は、ネットワークインパクトなしにデュアルレシーバＵＥが専用及びＭＢＭＳサービスを制限なく受信できるように実現することができ、デュアルレシーバＵＥのためのＲｅｌ−７メカニズムは、専用及びＭＢＭＳサービスを制限なく受信するためのリソースの最適化を許可するのに利用することができる。
【０２２１】
さらに他の実施形態において、Ｒｅｌ−７デュアルレシーバＵＥ（ＦＤＤ／ＴＤＤ）のために別個の独立ＭＢＭＳダウンリンクＯＮＬＹ周波数を有するＲｅｌ−６ネットワーク（シングルキャリア又はマルチキャリア）において、前記Ｒｅｌ−６ネットワークでのページングのためのメカニズムは、ＭＢＭＳサービスの受信のためのデュアルレシーバをアクティブにするのに利用することができる。
【０２２２】
２つの周波数層を含むＲｅｌ−６ＭＢＭＳネットワークで一般的なデュアルレシーバＵＥの動作を定義することは有用である。その例を図８に示す。このシナリオにおいて、オペレータは、例えば１つ以上の５ＭＨｚの周波数を有するマルチキャリアネットワークを配置する。以下、カウント、ＰｔＰ設定、及び周波数コンバージェンスについて説明する。
【０２２３】
カウントに関して、現在のソリューションは、周波数Ｂに位置し、別個の周波数ＡでＭＴＣＨとＭＣＣＨを受信するＵＥが、カウントが開始される場合又はＲＮＣがサービスがＰｔＰベアラ上で伝送されることを示す場合、どの動作をするかを提供しない。このような問題に対する多数のソリューションが可能であり、本発明はこれらを考慮する。
【０２２４】
例えば、ＵＥは位置する周波数でＲＲＣ要求／ＵＲＡアップデート／セルアップデートで応答することができる。このような動作は、前記ネットワークがＵＥ応答を様々なセル／周波数で伝送されたシグナリングと相互に関連付けるように構成されていると仮定する。従って、前記ネットワークがこのような機能を許可するか否かを制御することが有用である。
【０２２５】
他の例としては、前記カウント情報を受信した周波数でＲＲＣ要求／ＵＲＡアップデート／セルアップデートで応答するＵＥ、又はサービスがＰｔＰベアラ上で伝送されることを示すものが挙げられる。このシナリオは、前記ＵＥがセル再選択を行うことを要求する。従って、前記ＵＥがいつセル再選択を行うように許可されるかを判断することが有用である。
【０２２６】
このような特徴を実現するための１つの方法は、周波数コンバージェンスのための特定オフセットを再使用するというものである（すなわち、周波数コンバージェンスのための条件が満たされる場合、前記ＵＥは、追加レシーバを利用して受信する周波数でＲＲＣ要求／ＵＲＡアップデート／セルアップデートを開始する）。他の可能性としては、前記セル再選択を許可するために、ＭＣＣＨに特定パラメータを追加するか、又は専用シグナリングにより特定パラメータを追加するというものがある。
【０２２７】
さらに他の例は、ＵＥがＵＥの位置しない周波数でカウント／ＰｔＰ設定に応答していないが、継続してＭＴＣＨを受信している場合に関する。このような動作は、ＵＥがデュアルレシーバ能力を有しない状況と類似している。このようなシナリオは、一般的に問題を起こさないので、前記ネットワークが他の動作のための特定指示をシグナリングしないと、デュアルレシーバＵＥに対するデフォルト動作と見なされる。
【０２２８】
ＰｔＰ設定に関して、現在のソリューションは、ＰｔＰベアラ設定要求（PtP  bearer  establishment  request）に応答するためにＲＲＣ接続設定／セルアップデートメッセージを開始するＵＥを含む。このシナリオにおいては、関連サービスの指示がないため、Ｒｅｌ−６ネットワークは通常ＰｔＰベアラ設定を開始しないＭＢＭＳ  ＰｔＰベアラに対する要求を期待しない。従って、このような状況でデュアルレシーバＵＥは、ＰｔＰベアラ設定がＭＣＣＨで示された前記該当アップリンク周波数上でのＰｔＰベアラ設定指示にのみ応答する。この問題に関して、前記ＰｔＰベアラ設定に対する応答としてのＲＲＣ接続要求／セルアップデートは、ＭＣＣＨがダウンリンクで伝送される前記該当アップリンク周波数でのみ行われるように構成することができる。すなわち、前記ＵＥは前記ＰｔＰ設定指示が伝送されたＭＣＣＨに該当するアップリンク周波数上に位置する場合にのみ応答するように構成することができる。
【０２２９】
周波数コンバージェンスに関して、現在のソリューションは、デュアルレシーバＵＥが周波数コンバージェンスを行うか否かに適切に対処していない。特に、このようなソリューションは、ＵＥがＭＢＭＳのための別個のレシーバをサポートする可能性を考慮せず、ＵＥはＵＥが位置する周波数／セルのＭＴＣＨ／ＭＣＣＨ／ＭＳＣＨをリッスンすることを示すだけである。
【０２３０】
デュアルレシーバＵＥは、デュアルレシーバＵＥのデュアルレシーバにより選好周波数（preferred  frequency）を受信できる場合、デュアルレシーバＵＥが選択した周波数に留まるべきである。これは、デュアルレシーバＵＥが加入したサービスを受信できるのであれば周波数コンバージェンスを適用しない前記デュアルレシーバにより達成することができる。代案として、前記ネットワークは、ＵＥがＵＥのさらなるレシーバ能力を使用するか否か、又は周波数コンバージェンスを適用するか否かを制御する。
【０２３１】
周波数コンバージェンスは、ＭＢＭＳサービスがブロードキャストされない周波数に位置するＵＥにサービスがブロードキャストされる周波数を選択させるために、一般的に行われる。本発明の実施形態によるデュアルレシーバＵＥは、サービスがＰｔＭベアラ上で伝送される場合、ＭＢＭＳサービスの周波数を選択する必要がない。しかしながら、前記ネットワークは、再カウントを行うことができるか、又はいつでもＰｔＰベアラにスイッチングできることを理解すべきである。この場合、前記ＵＥは前記指示を受信した周波数と同じ周波数で応答することができる。従って、前記ＵＥは、カウント又はＰｔＰ設定が行われる必要がある選好周波数のみを再選択するように構成することができる。また、前記デュアルレシーバＵＥは、前記ＵＥが優先化（prioritization）を含むデュアルレシーバ能力を有しないかのように、前記Ｒｅｌ−６要求事項に従うことができる。
【０２３２】
他の代案は、ＵＥが優先サービスを受信できない場合でなければ、周波数コンバージェンスに従わないというものである。この場合、前記ＵＥは、カウントもしくはＰｔＰ設定に対する応答として周波数コンバージェンスを行うこともでき、カウントもしくはＭＢＭＳ  ＰｔＰ設定に応答すべき場合に周波数コンバージェンスを行わないこともできる。カウント及びＭＢＭＳ  ＰｔＰベアラ設定の場合に関する様々な動作が可能である。
【０２３３】
Ｒｅｌ−６仕様によれば、前記ＵＥは、ＵＥの選好周波数が専用サービスのために現在利用されている周波数とは異なる場合、前記ネットワークに通知する。しかし、デュアルレシーバＵＥの場合、優先サービスが異なる周波数上でＰｔＭベアラで伝送されても、前記デュアルレシーバＵＥに重要な問題になるとはみなされず、周波数を変更しようとすることを前記ネットワークに通知することは欠点となり得る。従って、前記ＵＥは、所望の全てのサービスを受信することができ、前記優先サービスが異なる周波数上で伝送される状況では、ＭＢＭＳ変更要求メッセージ（MBMS  modification  request  message）を利用してはならない。従って、前記デュアルレシーバＵＥは、デュアルレシーバＵＥのデュアルレシーバ能力により優先サービスを含む全ての所望のサービスを受信できるのであれば、前記優先サービス／周波数、又は解除されるＲＢを前記ネットワークに通知する必要がない。
【０２３４】
図９は本発明の一実施形態によるデュアルレシーバＵＥの動作を示す図である。時間周期０のＵＥは周波数Ｂに位置してＭＩＣＨを受信している。ＭＩＣＨを検出すると、前記ＵＥは、周波数ＢでＭＣＣＨの読み込みを開始し、さらに周波数コンバージェンス情報を受信する（時間周期１）。前記ＵＥがデュアルレシーバを含むため、第２レシーバをアクティブにして周波数ＡのＭＣＣＨの受信を開始することができる（時間周期２）。前記ＵＥは周波数ＢでＭＩＣＨを受信する必要がないが、必要な場合、前記ＵＥは周波数ＢでＭＩＣＨ又はＭＣＣＨの受信を選択的に再開始することができる。
【０２３５】
図９はＭＴＣＨ上でのサービス伝送を示す。ＭＢＭＳサービスがＰｔＰベアラで開始される場合、前記ＵＥは時間周期３及び４で周波数コンバージェンスを行い、ＰｔＰベアラを要求することができる。
【０２３６】
Ｒｅｌ−６のＵＥが周波数コンバージェンスを行っている場合は、一般的にＲｅｌ−６インタ周波数セル選択規則（inter  frequency  cell  selection  rules）に従う。現在、デュアルレシーバＵＥがデュアルレシーバＵＥのデュアルレシーバ能力を利用してＭＢＭＳ  ＭＴＣＨを最も良く受信するための適切なソリューションは存在しない。しかしながら、一実施形態によれば、これを達成するための技術は、デュアルレシーバＵＥが前記インタ周波数セル再選択規則に従い、ＭＢＭＳ受信のための周波数でＢＣＣＨを読み込むようにするというものである。
【０２３７】
又は、前記デュアルレシーバＵＥは、デュアルレシーバＵＥが登録したネットワークに属するセルを選択するように構成するか、又はデュアルレシーバＵＥが加入したＭＢＭＳサービスを提供するセルを選択するように構成することができる。このような要求事項を確実に達成するために、前記ＵＥは、例えば（もしある場合は）ＵＥが位置するセルで選好周波数リスト又は隣接セルリストを利用することができる。他の代案として、デュアルレシーバＵＥがリッスンするように許可されたセル又は周波数を含むＭＢＭＳ特定隣接セル又は周波数リストの導入を挙げることができる。
【０２３８】
このようなシナリオにおいて、デュアルレシーバＵＥは、デュアルレシーバＵＥが加入したＭＢＭＳサービスを受信することができる。しかしながら、カウント及びＰｔＰ要求を行うために、前記ＵＥは一般的に周波数コンバージェンスを行う必要がある。
【０２３９】
デュアルレシーバＵＥの制御を最適化するために、ＭＣＣＨは、特定能力（例えば、デュアルレシーバ、ＦＤＤ及びＴＤＤレシーバなど）を有するＵＥによってのみ読み込まれる特定拡張子を運ぶように構成することができる。その例を図１０に示す。これは、カウントに関する情報を有する前記ＵＥのセルと比較して、前記ＵＥが異なる周波数／セルでカウント／ＭＢＭＳ  ＰｔＰ設定に応答できるように、前述の欠点を最小化又は除去する。
【０２４０】
これが可能であることをＵＥに通知するために、一般的にＢＣＣＨ又はＭＣＣＨを利用して情報が前記ＵＥに伝送される。これは、ＭＢＭＳ一般情報メッセージ（MBMS  general  information  message）にある周波数コンバージェンス情報のような暗示的な情報でもよい。すなわち、隣接周波数が通知された場合、前記ＵＥは、前記所定の隣接周波数で受信されたＭＣＣＨのためのカウントに応答できるようになる。しかし、これは図１１に示すように、前記ＵＥが例えばセル６に位置し、セル７でカウントに応答する結果につながる。ＲＮＣ  Ｉではなく、ＲＮＣ  IIがセル７を制御するため、これは非常に有用な情報ではない。従って、明示的な指示（explicit  indication）を導入することが有用である。
【０２４１】
例えば、明示的な指示は周波数Ｂ上で伝送することができ、例えばセル５で周波数Ａのどのセルがカウント応答／ＭＢＭＳ  ＰｔＰベアラ要求を伝送するように許可されるか、又はその反対の場合（すなわち、周波数Ａのセルの場合、周波数Ｂのどのセルがカウント応答を伝送できるかの指示）を含むことができる。
【０２４２】
これは、ＵＥが位置するセルとＵＥがＭＣＣＨを読み込むセルとが同一のＲＮＣにより制御される場合、前記ＲＮＣのみ前記カウント応答／ＭＢＭＳ  ＰｔＰベアラ要求を解析できるためである。
【０２４３】
ＵＥが周波数Ａ（ＵＥが位置するセルで）のＭＣＣＨで示されたカウント／ＰｔＰ設定に応答できることが示されていない場合、前記ＵＥは周波数Ｂで周波数コンバージェンスに従う必要があるかも知れない。しかし、このようなシナリオは比較的まれであり、その場合、前記ＵＥがカウント及びＰｔＰ設定に従わないようにすることができる。
【０２４４】
別途のカウントインジケータをカウントするためのインパクトを最小化するために、デュアルレシーバＵＥは、アイドル／接続モードアクセス確率係数及びカウント範囲（counting  scope）のために一般的に行われる方式と同様に構成することができる。すなわち、デュアルレシーバＵＥは、これが許可されるように示された場合、及び特定アクセス確率係数／カウント範囲が含まれる場合、ＭＣＣＨが伝送される周波数とは異なる周波数上で応答を伝送する。この方法は、ＭＴＣＨが伝送される様々な周波数上でカウント／ＰｔＰ設定を行えるようにする（すなわち、ＭＢＭＳ  ＭＴＣＨが周波数Ａで伝送される場合、カウント／ＰｔＰ設定は、デュアルレシーバ能力を有するＵＥのために周波数Ｂで行うことができ、Ｒｅｌ−６のＵＥのためのカウント／ＰｔＰ設定は、周波数Ａでのみ行うことができる）。このようなメカニズムが要求される場合、前記ＵＥは、カウント／ＰｔＰ設定に応答するために、サービス中に周波数ＢでＭＣＣＨを継続して読み込めるように構成することができる。
【０２４５】
ＲＮＣがカウント応答／ＰｔＰ設定要求をリンクできることを保証するために、前記デュアルレシーバＵＥは、前記ＵＥが位置するセルと比較して異なるセルで伝送されたＭＣＣＨで受信されたメッセージに応答することが有用である。前記応答は、例えば関連サービスの指示、ＭＣＣＨが受信されたセル、ＭＣＣＨが受信された周波数などの前記ネットワークに送られたメッセージにさらなる情報を含めることができる。
【０２４６】
例えば、ＵＭＴＳのためのデュアルレシーバＵＥは、ＭＢＭＳサービスと専用サービスを同時に効果的に受信することができる。しかし、Ｒｅｌ−６において、前記ネットワークは、通常ＵＥの限界、又はＭＢＭＳサービスを受信するためにＵＥが有する余分な自由に関する情報を有しない。前記ＵＥが前記専用サービスとは異なる周波数上でＭＴＣＨを受信できる場合、このような能力に関して前記ネットワークに通知することが有用である（例えば、ＲＲＣ接続設定又は他の場合に通知する）。
【０２４７】
デュアルレシーバ動作を容易にするためのさらなる特徴は、ＭＢＭＳセルを前記ＵＥが位置するセルにリンクすることである。この特徴について図１２を参照して説明する。この特徴によれば、ＵＥが周波数Ｂにあるセルに位置する状況を考慮する。この場合、周波数Ａでどのセル又はセルのセットが周波数Ｂのセルと共に配置されるかを確認する指示が与えられる。従って、これはＵＥがＭＢＭＳサービスの受信のために選択するセルの数を制限する。
【０２４８】
図１２において、ＵＥが周波数Ｂのセル５に位置する場合、セル１及び２は同じ適用範囲を有するため、前記ＵＥをこれらセルに指し示すことが有用である。これは、デュアルレシーバＵＥの複雑性を減少させ、ＭＢＭＳ周波数で伝送されるべきセル再選択に関する情報を減少させる。これは前記周波数がＭＢＭＳ  ｏｎｌｙ周波数として利用される場合に特に有用である。
【０２４９】
その後の動作において、ＵＥが周波数Ａで、ＢＣＣＨ又はＭＣＣＨではなく、ＭＴＣＨ／ＭＳＣＨのみ受信すればいいように、構成（例えば、ＭＣＣＨ、ＭＴＣＨ、ＭＳＣＨ、周波数Ａでのセル及びサービスの無線ベアラ構成など）の一部が周波数Ｂでブロードキャストされることが好ましい。
【０２５０】
このようなシナリオにおいて、デュアルレシーバＵＥは、一般的にデュアルレシーバＵＥが加入したＭＢＭＳサービスをＭＢＭＳサービスからインパクトなしに常に受信することができる。従って、前記ＵＥは周波数コンバージェンスに従う必要がなく、これにより、専用及びＭＢＭＳデータの同時受信の場合、ＵＥに対するインパクトがなくなる。
【０２５１】
前述したように、一般的に、デュアルレシーバＵＥは、例えばＭＢＭＳサービスが伝送される周波数である周波数Ａで伝送する必要がない。しかしながら、存在し得るバックワード能力要求事項により、Ｒｅｌ−６のＵＥがこの周波数に位置すると予想してＵＥがネットワークを接続することが可能である。従って、このような状況で前記ネットワークはトランスミッタとレシーバの両方を備えることができる。
【０２５２】
デュアルレシーバＵＥがＭＢＭＳサービスを受信する周波数とは異なる周波数に位置する可能性が明らかになっている。これは、前記ＵＥが、サービスがブロードキャストされる予定である周波数ではなく、前記ＵＥが位置する周波数でカウントに応答できることを意味する。これは、Ｒｅｌ−７のＵＥにのみ見られ、かつ一般的にＭＢＭＳトラフィックのために予約される周波数を導入できるようにする。これはダウンリンクのみを必要とするＭＢＭＳの専用帯域の使用を可能にする。すなわち、このような基地局ではレシーバが必要でない。また、専用サービス中にインパクトがないという利点を有する。
【０２５３】
ダウンリンクＯＮＬＹ  ＭＢＭＳキャリアは、レシーバ装置を有しない基地局で実現することができる。Ｒｅｌ−６のＵＥがダウンリンクＯＮＬＹ  ＭＢＭＳサービスを再選択することを防止するために、関連ＳＩＢが、例えばオペレータ利用、又はＲｅｌ−６及び以前のＵＥがこのキャリアを選択することを防止するための他の技術が禁止されるように、このキャリアで伝送されないことが有用である。また、Ｒｅｌ−７デュアルレシーバＵＥがこの周波数にあるセルを正規ＭＢＭＳサービスを提供するセルと認識するように特定指示を実現することができる。
【０２５４】
Ｒｅｌ−７デュアルレシーバＭＢＭＳ  ＵＥがそのようなキャリアを選択できるように、ＢＣＣＨ又はＭＣＣＨ上でＲｅｌ−７拡張子に特定指示（例えば、Ｒｅｌ−７ＭＢＭＳインタ周波数デュアルレシーバセル情報リスト）を提供することも有用である。必要な場合、インタ周波数ＦＤＤ及び／又はＴＤＤセルをさらに追加することができる。
【０２５５】
前記開示された様々な実施形態はネットワーク動作のための重要な利点を提供する。例えば、オペレータは、ＭＢＭＳのための必要構成要素のみを配置して、ＭＢＭＳの配置のためのコスト低減を可能にする必要がある。ＴＤＤが利用される状況では、ＭＢＭＳのための非対称スペクトルを配置することもできる。
【０２５６】
デュアルレシーバのないＵＥがＭＢＭＳダウンリンクＯＮＬＹスペクトルで（例えば、前記ＵＥがＭＢＭＳダウンリンクＯＮＬＹ周波数でページングメッセージを受信するとすぐに、又は前記ＵＥが呼の開始を希望するときに前記周波数に移動して）ＭＢＭＳサービスを受信することができるが、カウント及びＰｔＰ設定の観点で制限があり得る。
【０２５７】
他の利点として、ＭＴＣＨが受信される周波数とは異なる周波数でのカウント及び／又はＰｔＰ設定の許可、類似した適用範囲のセルの指示、隣接セルでのＭＢＭＳチャネルの構成情報の利用、及びネットワークへのＵＥのデュアルレシーバ能力の指示などが挙げられる。
【０２５８】
さらに他の利点として、Ｒｅｌ−６のＵＥがＭＢＭＳダウンリンクＯＮＬＹ周波数に位置しようとする試みを禁止又は防止する規定、ＭＢＭＳサービスが隠し周波数でブロードキャストされていることを示す指示、及び専用サービスのために利用される正常周波数でのＭＢＭＳダウンリンクＯＮＬＹ周波数の指示などが挙げられる。
【０２５９】
図１４は本発明の一実施形態によるネットワークとデュアルレシーバＵＥ間の通信方法を示すフローチャートである。ブロック１０５は、第１周波数で第１ネットワークノードから第１シグナリングを受信する段階を提供する。また、ブロック１１０においては、第２シグナリングが第２周波数で第２ネットワークノードから１対多（ＰｔＭ）制御チャネルを介して受信される。ブロック１１５は、前記第２周波数で前記第２ネットワークノードから要求を受信する段階を提供することにより、前記前記ＰｔＭ制御チャネルを介して前記要求が伝達されるようにする。他の動作は、前記第２ネットワークノードからの前記要求に対する応答を前記第１ネットワークノードに送信する段階を含む（ブロック１２０）。
【０２６０】
図１５は本発明の代替実施形態によるネットワークとデュアルレシーバＵＥ間の通信方法を示すフローチャートである。ブロック１３０は、第１ネットワークノードから通信信号を受信する段階を提供し、ブロック１３５は、前記第１ネットワークノードにアップリンク能力が不足していることを確認する段階を提供する。１つの動作は、前記第１ネットワークノードがＭＢＭＳサービスを提供することを確認する段階を必要とする（ブロック１４０）。他の動作は、アップリンク能力が不足していることを確認したにもかかわらず、前記第１ネットワークノードから前記ＭＢＭＳサービスを受信する段階を含む（ブロック１４５）。
【０２６１】
図１６は、本発明の移動通信端末２００、例えば本発明の方法を行うための携帯電話のブロック図である。移動通信ディバイス２００は、マイクロプロセッサやデジタル信号プロセッサなどの処理部２１０、ＲＦモジュール２３５、電力管理モジュール２０５、アンテナ２４０、バッテリ２５５、ディスプレイ２１５、キーパッド２２０、フラッシュメモリ、ＲＯＭ、ＳＲＡＭなどのメモリ部２３０、スピーカ２４５、及びマイク２５０を含む。
【０２６２】
ユーザは、例えばキーパッド２２０のボタンの押圧、又はマイク２５０を利用した音声駆動により、電話番号などの指示情報を入力する。処理部２１０は、前記電話番号に電話をかけるなどの適切な機能を実行するために、前記指示情報を受信して処理する。前記機能を実行するためにメモリ部２３０から動作データを検索することができる。また、処理部２１０は、ユーザの参照及び便宜のために、前記指示及び動作情報をディスプレイ１１５に表示することができる。
【０２６３】
処理部２１０は、通信を開始するように、例えば音声通信データを含む無線信号を伝送するように、ＲＦセクション２３５に指示的情報を出す。ＲＦセクション２３５は、無線信号を送受信するためにレシーバとトランスミッタとから構成される。アンテナ２４０は無線信号の送受信を容易にする。無線信号を受信すると、ＲＦモジュール２３５は、処理部２１０による処理のために、前記信号をベースバンド周波数に伝達して変換することができる。前記処理された信号は、例えばスピーカ２４５から出力された可聴又は可読情報に変形される。
【０２６４】
処理部２１０は、他の動作中に本明細書に開示された方法を行うように適用される。移動通信ディバイス２００を例えば処理部２１０又は他のデータもしくはデジタル処理装置を利用して単独で又は外部サポートロジックとの組み合わせにより実現できることは、当業者に明らかである。本発明は、移動通信に関連して説明されたが、本発明は、無線通信能力を備えたＰＤＡやラップトップコンピュータのような移動装置を使用する無線通信システムでも利用できる。また、本発明を説明するために使用された特定用語は本発明の範囲をＵＭＴＳのような特定タイプの無線通信システムに限定するものではない。本発明は、ＴＤＭＡ、ＣＤＭＡ、ＦＤＭＡ、ＷＣＤＭＡなどの様々なエアインタフェース及び／又は物理層を使用する他の無線通信システムにも適用できる。
【０２６５】
本発明の好ましい実施形態は、ソフトウェア、ファームウェア、ハードウェア、又はこれらの組み合わせを生産するための標準プログラム及び／又はエンジニアリング技術を用いて方法、装置、又は製造物として実現できる。ここで、「製造物」という用語は、ハードウェアロジック（例えば、集積回路チップ、ＦＰＧＡ（Field  Programmable  Gate  Array）、ＡＳＩＣ（Application  Specific  Integrated  Circuit）など）、又はコンピュータ可読媒体（例えば、磁気記録媒体（例えば、ハードディスクドライブ、フロッピー（登録商標）ディスク、テープなど）、光記録装置（ＣＤ−ＲＯＭ、光ディスクなど）、揮発性及び不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど））において実行されるコードやロジックを示す。前記コンピュータ可読媒体でのコードはプロセッサによりアクセス及び実行される。
【０２６６】
本発明の好ましい実施形態で実現されるコードは、伝送媒体を通じて、又はネットワーク上のファイルサーバからアクセスすることもできる。その場合、前記コードが実現される製造物は、ネットワーク転送ライン、無線伝送媒体、空中を伝播する信号、無線波、赤外線信号などの伝送媒体を含む。もちろん、当該技術分野における通常の知識を有する者であれば、本発明の範囲内でその構成の多様な変更が可能であり、前記製造物が公知の情報伝送媒体を含むという点を理解できるであろう。
【０２６７】
図面に示すロジックの実現は、特定順序で発生するものとして特定動作を記述した。代替実施形態においては、特定ロジック動作が変更又は除去されて異なる順序で行うことができ、本発明の好ましい実施形態を実現する。さらに、前記記述されたロジックにさらなる段階が追加されて本発明を実現することもできる。
【０２６８】
前述した実施形態と利点は単なる例示にすぎず、本発明を制限するものではない。本発明は、他のタイプの装置及び処理にも容易に適用できる。本発明の詳細な説明は単なる説明の便宜のためのものであり、請求の範囲を制限するものではない。当該技術分野における通常の知識を有する者であればこれらの多様な代替、変更、変形が可能であることを理解できるであろう。
【０２６９】
ＵＥが周波数Ａ（ＵＥが位置するセルで）のＭＣＣＨで示されたカウント／ＰｔＰ設定に応答できることが示されていない場合、前記ＵＥは周波数Ｂで周波数コンバージェンスに従う必要があるかも知れない。しかし、このようなシナリオは比較的まれであり、その場合、前記ＵＥがカウント及びＰｔＰ設定に従わないようにすることができる。
【０２７０】
別途のカウントインジケータをカウントするためのインパクトを最小化するために、デュアルレシーバＵＥは、アイドル／接続モードアクセス確率係数及びカウント範囲（counting  scope）のために一般的に行われる方式と同様に構成することができる。すなわち、デュアルレシーバＵＥは、これが許可されるように示された場合、及び特定アクセス確率係数／カウント範囲が含まれる場合、ＭＣＣＨが伝送される周波数とは異なる周波数上で応答を伝送する。この方法は、ＭＴＣＨが伝送される様々な周波数上でカウント／ＰｔＰ設定を行えるようにする（すなわち、ＭＢＭＳ  ＭＴＣＨが周波数Ａで伝送される場合、カウント／ＰｔＰ設定は、デュアルレシーバ能力を有するＵＥのために周波数Ｂで行うことができ、Ｒｅｌ−６のＵＥのためのカウント／ＰｔＰ設定は、周波数Ａでのみ行うことができる）。このようなメカニズムが要求される場合、前記ＵＥは、カウント／ＰｔＰ設定に応答するために、サービス中に周波数ＢでＭＣＣＨを継続して読み込めるように構成することができる。
【０２７１】
ＲＮＣがカウント応答／ＰｔＰ設定要求をリンクできることを保証するために、前記デュアルレシーバＵＥは、前記ＵＥが位置するセルと比較して異なるセルで伝送されたＭＣＣＨで受信されたメッセージに応答することが有用である。前記応答は、例えば関連サービスの指示、ＭＣＣＨが受信されたセル、ＭＣＣＨが受信された周波数などの前記ネットワークに送られたメッセージにさらなる情報を含めることができる。
【０２７２】
例えば、ＵＭＴＳのためのデュアルレシーバＵＥは、ＭＢＭＳサービスと専用サービスを同時に効果的に受信することができる。しかし、Ｒｅｌ−６において、前記ネットワークは、通常ＵＥの限界、又はＭＢＭＳサービスを受信するためにＵＥが有する余分な自由に関する情報を有しない。前記ＵＥが前記専用サービスとは異なる周波数上でＭＴＣＨを受信できる場合、このような能力に関して前記ネットワークに通知することが有用である（例えば、ＲＲＣ接続設定又は他の場合に通知する）。
【０２７３】
デュアルレシーバ動作を容易にするためのさらなる特徴は、ＭＢＭＳセルを前記ＵＥが位置するセルにリンクすることである。この特徴について図１２を参照して説明する。この特徴によれば、ＵＥが周波数Ｂにあるセルに位置する状況を考慮する。この場合、周波数Ａでどのセル又はセルのセットが周波数Ｂのセルと共に配置されるかを確認する指示が与えられる。従って、これはＵＥがＭＢＭＳサービスの受信のために選択するセルの数を制限する。
【０２７４】
図１２において、ＵＥが周波数Ｂのセル５に位置する場合、セル１及び２は同じ適用範囲を有するため、前記ＵＥをこれらセルに指し示すことが有用である。これは、デュアルレシーバＵＥの複雑性を減少させ、ＭＢＭＳ周波数で伝送されるべきセル再選択に関する情報を減少させる。これは前記周波数がＭＢＭＳ  ｏｎｌｙ周波数として利用される場合に特に有用である。
【０２７５】
その後の動作において、ＵＥが周波数Ａで、ＢＣＣＨ又はＭＣＣＨではなく、ＭＴＣＨ／ＭＳＣＨのみ受信すればいいように、構成（例えば、ＭＣＣＨ、ＭＴＣＨ、ＭＳＣＨ、周波数Ａでのセル及びサービスの無線ベアラ構成など）の一部が周波数Ｂでブロードキャストされることが好ましい。
【０２７６】
このようなシナリオにおいて、デュアルレシーバＵＥは、一般的にデュアルレシーバＵＥが加入したＭＢＭＳサービスをＭＢＭＳサービスからインパクトなしに常に受信することができる。従って、前記ＵＥは周波数コンバージェンスに従う必要がなく、これにより、専用及びＭＢＭＳデータの同時受信の場合、ＵＥに対するインパクトがなくなる。
【０２７７】
前述したように、一般的に、デュアルレシーバＵＥは、例えばＭＢＭＳサービスが伝送される周波数である周波数Ａで伝送する必要がない。しかしながら、存在し得るバックワード能力要求事項により、Ｒｅｌ−６のＵＥがこの周波数に位置すると予想してＵＥがネットワークを接続することが可能である。従って、このような状況で前記ネットワークはトランスミッタとレシーバの両方を備えることができる。
【０２７８】
デュアルレシーバＵＥがＭＢＭＳサービスを受信する周波数とは異なる周波数に位置する可能性が明らかになっている。これは、前記ＵＥが、サービスがブロードキャストされる予定である周波数ではなく、前記ＵＥが位置する周波数でカウントに応答できることを意味する。これは、Ｒｅｌ−７のＵＥにのみ見られ、かつ一般的にＭＢＭＳトラフィックのために予約される周波数を導入できるようにする。これはダウンリンクのみを必要とするＭＢＭＳの専用帯域の使用を可能にする。すなわち、このような基地局ではレシーバが必要でない。また、専用サービス中にインパクトがないという利点を有する。
【０２７９】
ダウンリンクＯＮＬＹ  ＭＢＭＳキャリアは、レシーバ装置を有しない基地局で実現することができる。Ｒｅｌ−６のＵＥがダウンリンクＯＮＬＹ  ＭＢＭＳサービスを再選択することを防止するために、関連ＳＩＢが、例えばオペレータ利用、又はＲｅｌ−６及び以前のＵＥがこのキャリアを選択することを防止するための他の技術が禁止されるように、このキャリアで伝送されないことが有用である。また、Ｒｅｌ−７デュアルレシーバＵＥがこの周波数にあるセルを正規ＭＢＭＳサービスを提供するセルと認識するように特定指示を実現することができる。
【０２８０】
Ｒｅｌ−７デュアルレシーバＭＢＭＳ  ＵＥがそのようなキャリアを選択できるように、ＢＣＣＨ又はＭＣＣＨ上でＲｅｌ−７拡張子に特定指示（例えば、Ｒｅｌ−７ＭＢＭＳインタ周波数デュアルレシーバセル情報リスト）を提供することも有用である。必要な場合、インタ周波数ＦＤＤ及び／又はＴＤＤセルをさらに追加することができる。
【０２８１】
前記開示された様々な実施形態はネットワーク動作のための重要な利点を提供する。例えば、オペレータは、ＭＢＭＳのための必要構成要素のみを配置して、ＭＢＭＳの配置のためのコスト低減を可能にする必要がある。ＴＤＤが利用される状況では、ＭＢＭＳのための非対称スペクトルを配置することもできる。
【０２８２】
デュアルレシーバのないＵＥがＭＢＭＳダウンリンクＯＮＬＹスペクトルで（例えば、前記ＵＥがＭＢＭＳダウンリンクＯＮＬＹ周波数でページングメッセージを受信するとすぐに、又は前記ＵＥが呼の開始を希望するときに前記周波数に移動して）ＭＢＭＳサービスを受信することができるが、カウント及びＰｔＰ設定の観点で制限があり得る。
【０２８３】
他の利点として、ＭＴＣＨが受信される周波数とは異なる周波数でのカウント及び／又はＰｔＰ設定の許可、類似した適用範囲のセルの指示、隣接セルでのＭＢＭＳチャネルの構成情報の利用、及びネットワークへのＵＥのデュアルレシーバ能力の指示などが挙げられる。
【０２８４】
さらに他の利点として、Ｒｅｌ−６のＵＥがＭＢＭＳダウンリンクＯＮＬＹ周波数に位置しようとする試みを禁止又は防止する規定、ＭＢＭＳサービスが隠し周波数でブロードキャストされていることを示す指示、及び専用サービスのために利用される正常周波数でのＭＢＭＳダウンリンクＯＮＬＹ周波数の指示などが挙げられる。
【０２８５】
図１４は本発明の一実施形態によるネットワークとデュアルレシーバＵＥ間の通信方法を示すフローチャートである。ブロック１０５は、第１周波数で第１ネットワークノードから第１シグナリングを受信する段階を提供する。また、ブロック１１０においては、第２シグナリングが第２周波数で第２ネットワークノードから１対多（ＰｔＭ）制御チャネルを介して受信される。ブロック１１５は、前記第２周波数で前記第２ネットワークノードから要求を受信する段階を提供することにより、前記前記ＰｔＭ制御チャネルを介して前記要求が伝達されるようにする。他の動作は、前記第２ネットワークノードからの前記要求に対する応答を前記第１ネットワークノードに送信する段階を含む（ブロック１２０）。
【０２８６】
図１５は本発明の代替実施形態によるネットワークとデュアルレシーバＵＥ間の通信方法を示すフローチャートである。ブロック１３０は、第１ネットワークノードから通信信号を受信する段階を提供し、ブロック１３５は、前記第１ネットワークノードにアップリンク能力が不足していることを確認する段階を提供する。１つの動作は、前記第１ネットワークノードがＭＢＭＳサービスを提供することを確認する段階を必要とする（ブロック１４０）。他の動作は、アップリンク能力が不足していることを確認したにもかかわらず、前記第１ネットワークノードから前記ＭＢＭＳサービスを受信する段階を含む（ブロック１４５）。
【０２８７】
図１６は、本発明の移動通信端末２００、例えば本発明の方法を行うための携帯電話のブロック図である。移動通信ディバイス２００は、マイクロプロセッサやデジタル信号プロセッサなどの処理部２１０、ＲＦモジュール２３５、電力管理モジュール２０５、アンテナ２４０、バッテリ２５５、ディスプレイ２１５、キーパッド２２０、フラッシュメモリ、ＲＯＭ、ＳＲＡＭなどのメモリ部２３０、スピーカ２４５、及びマイク２５０を含む。
【０２８８】
ユーザは、例えばキーパッド２２０のボタンの押圧、又はマイク２５０を利用した音声駆動により、電話番号などの指示情報を入力する。処理部２１０は、前記電話番号に電話をかけるなどの適切な機能を実行するために、前記指示情報を受信して処理する。前記機能を実行するためにメモリ部２３０から動作データを検索することができる。また、処理部２１０は、ユーザの参照及び便宜のために、前記指示及び動作情報をディスプレイ１１５に表示することができる。
【０２８９】
処理部２１０は、通信を開始するように、例えば音声通信データを含む無線信号を伝送するように、ＲＦセクション２３５に指示的情報を出す。ＲＦセクション２３５は、無線信号を送受信するためにレシーバとトランスミッタとから構成される。アンテナ２４０は無線信号の送受信を容易にする。無線信号を受信すると、ＲＦモジュール２３５は、処理部２１０による処理のために、前記信号をベースバンド周波数に伝達して変換することができる。前記処理された信号は、例えばスピーカ２４５から出力された可聴又は可読情報に変形される。
【０２９０】
処理部２１０は、他の動作中に本明細書に開示された方法を行うように適用される。移動通信ディバイス２００を例えば処理部２１０又は他のデータもしくはデジタル処理装置を利用して単独で又は外部サポートロジックとの組み合わせにより実現できることは、当業者に明らかである。本発明は、移動通信に関連して説明されたが、本発明は、無線通信能力を備えたＰＤＡやラップトップコンピュータのような移動装置を使用する無線通信システムでも利用できる。また、本発明を説明するために使用された特定用語は本発明の範囲をＵＭＴＳのような特定タイプの無線通信システムに限定するものではない。本発明は、ＴＤＭＡ、ＣＤＭＡ、ＦＤＭＡ、ＷＣＤＭＡなどの様々なエアインタフェース及び／又は物理層を使用する他の無線通信システムにも適用できる。
【０２９１】
本発明の好ましい実施形態は、ソフトウェア、ファームウェア、ハードウェア、又はこれらの組み合わせを生産するための標準プログラム及び／又はエンジニアリング技術を用いて方法、装置、又は製造物として実現できる。ここで、「製造物」という用語は、ハードウェアロジック（例えば、集積回路チップ、ＦＰＧＡ（Field  Programmable  Gate  Array）、ＡＳＩＣ（Application  Specific  Integrated  Circuit）など）、又はコンピュータ可読媒体（例えば、磁気記録媒体（例えば、ハードディスクドライブ、フロッピー（登録商標）ディスク、テープなど）、光記録装置（ＣＤ−ＲＯＭ、光ディスクなど）、揮発性及び不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど））において実行されるコードやロジックを示す。前記コンピュータ可読媒体でのコードはプロセッサによりアクセス及び実行される。
【０２９２】
本発明の好ましい実施形態で実現されるコードは、伝送媒体を通じて、又はネットワーク上のファイルサーバからアクセスすることもできる。その場合、前記コードが実現される製造物は、ネットワーク転送ライン、無線伝送媒体、空中を伝播する信号、無線波、赤外線信号などの伝送媒体を含む。もちろん、当該技術分野における通常の知識を有する者であれば、本発明の範囲内でその構成の多様な変更が可能であり、前記製造物が公知の情報伝送媒体を含むという点を理解できるであろう。
【０２９３】
図面に示すロジックの実現は、特定順序で発生するものとして特定動作を記述した。代替実施形態においては、特定ロジック動作が変更又は除去されて異なる順序で行うことができ、本発明の好ましい実施形態を実現する。さらに、前記記述されたロジックにさらなる段階が追加されて本発明を実現することもできる。
【０２９４】
前述した実施形態と利点は単なる例示にすぎず、本発明を制限するものではない。本発明は、他のタイプの装置及び処理にも容易に適用できる。本発明の詳細な説明は単なる説明の便宜のためのものであり、請求の範囲を制限するものではない。当該技術分野における通常の知識を有する者であればこれらの多様な代替、変更、変形が可能であることを理解できるであろう。
【図面の簡単な説明】
【０２９５】
【図１】図１は、従来のＵＭＴＳネットワークを示す図である。
【図２】図２は、従来のＵＥとＵＴＲＡＮ間の無線インタフェースプロトコルを示す図である。
【図３】図３は、論理チャネル構造を示す図である。
【図４】図４は、ＵＥの観点から論理チャネルとトランスポートチャネル間の可能なマッピングを示す図である。
【図５】図５は、ＵＴＲＡＮの観点から論理チャネルとトランスポートチャネル間の可能なマッピングを示す図である。
【図６】図６は、ＵＥ状態の可能な変化を示す図である。
【図７】図７は、従来のカウント手順を示す図である。
【図８】図８は、Ｒｅｌ−７デュアルレシーバＵＥを有する、Ｒｅｌ−６におけるＦＤＤ  ＭＢＭＳマルチキャリアネットワークを示す図である。
【図９】図９は、本発明の一実施形態によるデュアルレシーバＵＥの動作を示す図である。
【図１０】図１０は、Ｒｅｌ−７デュアルレシーバＵＥのための最適化を伴う、Ｒｅｌ−６におけるＭＢＭＳマルチキャリアネットワークを示す図である。
【図１１】図１１は、ＵＥがＭＣＣＨ上で動作できるセルを示す図である。
【図１２】図１２は、ＵＥがＭＣＣＨ／ＭＴＣＨの受信を試みるセルを示す図である。
【図１３】図１３は、デュアルレシーバＵＥ（ＦＤＤ／ＴＤＤ）のための別個の独立ＭＢＭＳダウンリンクＯＮＬＹ周波数を有するＲｅｌ−６ネットワーク（シングルキャリア又はマルチキャリア）を示す図である。
【図１４】図１４は、本発明の一実施形態によるネットワークとデュアルレシーバＵＥ間の通信方法を示すフローチャートである。
【図１５】図１５は、本発明の代替実施形態によるネットワークとデュアルレシーバＵＥ間の通信方法を示すフローチャートである。
【図１６】図１６は、本発明の一実施形態による移動通信端末を示す図である。
【図１】
2009525673.tif 000003
【図２】
2009525673.tif 000004
【図３】
2009525673.tif 000005
【図４】
2009525673.tif 000006
【図５】
2009525673.tif 000007
【図６】
2009525673.tif 000008
【図７】
2009525673.tif 000009
【図８】
2009525673.tif 000010
【図９】
2009525673.tif 000011
【図１０】
2009525673.tif 000012
【図１１】
2009525673.tif 000013
【図１２】
2009525673.tif 000014
【図１３】
2009525673.tif 000015
【図１４】
2009525673.tif 000016
【図１５】
2009525673.tif 000017
【図１６】
2009525673.tif 000018
【国際調査報告】
2009525673.tif 000019
2009525673.tif 000020